(57)【要約】【課題】  静止画像コンテンツ上の人物を選択して直接的に電話発信或いは電子メールの送信を可能とする。【解決手段】  制御部は、静止画像コンテンツをメモリに記憶制御する際に、静止画像コンテンツに写っている人物の顔画像を抽出し、この顔画像と、メモリ内の電話帳に登録されている各ユーザの顔画像をと比較する。電話帳から顔画像が一致するユーザを検出した場合、静止画像コンテンツに写っている人物の顔画像と、電話帳に登録されているその人物の電話番号や電子メールアドレス等の個人情報とをリンク付け処理する。そして、静止画像コンテンツを表示した際に、所望の人物が選択されると、この選択された人物の電話番号に対して自動的に電話発信を行い、或いは上記選択された人物の電子メールアドレスを入力した電子メール作成画面を表示する。【選択図】  図２５
2008005470.tif 000002
【特許請求の範囲】
【請求項１】
静止画像コンテンツ上の人物の顔画像を抽出する顔画像抽出部と、
上記顔画像抽出部で抽出された顔画像と一致する顔画像を、各ユーザの顔画像と共に連絡先情報が登録されているメモリから検出する一致画像検出部と、
上記一致画像検出部により、上記顔画像抽出部で抽出された顔画像と一致する顔画像が上記メモリから検出された場合、上記顔画像抽出部で抽出された顔画像と、この顔画像に対応する上記メモリに登録された連絡先情報とをリンク付け処理するリンク付け処理部と、
上記静止画像コンテンツから上記人物が選択された際に、当該選択された人物の顔画像にリンク付け処理されている連絡先情報を上記メモリから取得する連絡先情報取得部と、
上記連絡先情報取得部で取得された連絡先情報に対応する電話番号に電話発信を行うように通信部を制御し、或いは連絡先情報に対応する電子メールアドレスを入力した電子メールの作成画面を表示部に表示制御する制御部と
を有する情報処理装置。
【請求項２】
請求項１に記載の情報処理装置であって、
上記静止画像コンテンツを表示する際に、当該静止画像コンテンツ上の人物の顔画像と、この顔画像に対応する上記メモリに登録された連絡先情報とが、上記リンク付け処理部によりリンク付け処理されているか否かを判別するリンク判別部と、
上記リンク判別部により、上記リンク付け処理がなされていないものと判別された人物を、上記静止画像コンテンツ上で、上記リンク付け処理がなされているものと判別された人物とは異なる表示形態で表示する表示形態変更部と
を有することを特徴とする情報処理装置。
【請求項３】
請求項２に記載の情報処理装置であって、
上記静止画像コンテンツ上で、上記リンク付け処理がなされているものと判別された人物とは異なる表示形態で表示されている人物が選択された際に、ユーザにより選択された連絡先に対応する通信機器に対して、当該異なる表示形態で表示されている人物の顔画像と共に、当該人物の連絡先情報の送信要求を行う連絡先情報送信要求部を有し、
上記制御部は、上記通信機器から上記人物の連絡先情報が返信された際に、この連絡先情報及び上記異なる表示形態で表示されている人物の顔画像を上記メモリに登録し、
上記リンク付け処理部は、上記静止画像コンテンツ上における上記異なる表示形態で表示されていた人物の顔画像と、この顔画像に対応する上記メモリに登録された連絡先情報とをリンク付け処理すること
を特徴とする情報処理装置。
【請求項４】
顔画像抽出部が、静止画像コンテンツ上の人物の顔画像を抽出するステップと、
一致画像検出部が、上記ステップで抽出された顔画像と一致する顔画像を、各ユーザの顔画像と共に連絡先情報が登録されているメモリから検出するステップと、
リンク付け処理部が、上記ステップで上記顔画像抽出部で抽出された顔画像と一致する顔画像が上記メモリから検出された場合、上記顔画像抽出部で抽出された顔画像と、この顔画像に対応する上記メモリに登録された連絡先情報とをリンク付け処理するステップと、
上記静止画像コンテンツから上記人物が選択された際に、連絡先情報取得部が、上記リンク付け処理部により当該選択された人物の顔画像にリンク付け処理されている連絡先情報を上記メモリから取得するステップと、
制御部が、上記ステップで取得された連絡先情報に対応する電話番号に電話発信を行うように通信部を制御し、或いは上記連絡先情報に対応する電子メールアドレスを入力した電子メールの作成画面を表示部に表示制御するステップと
を有する情報処理方法。
【請求項５】
静止画像コンテンツ上の人物の顔画像を抽出する顔画像抽出部としてコンピュータを機能させ、
コンピュータを上記顔画像抽出部として機能させることで抽出された顔画像と一致する顔画像を、各ユーザの顔画像と共に連絡先情報が登録されているメモリから検出する一致画像検出部としてコンピュータを機能させ、
コンピュータを上記一致画像検出部として機能させることで、上記静止画像コンテンツから抽出された顔画像と一致する顔画像が上記メモリから検出された場合、上記顔画像抽出部で抽出された顔画像と、この顔画像に対応する上記メモリに登録された連絡先情報とをリンク付け処理するリンク付け処理部としてコンピュータを機能させ、
上記静止画像コンテンツから上記人物が選択された際に、当該選択された人物の顔画像にリンク付け処理されている連絡先情報を上記メモリから取得する連絡先情報取得部としてコンピュータを機能させ、
上記連絡先情報取得部としてコンピュータを機能させることで取得された連絡先情報に対応する電話番号に電話発信を行うように通信部を制御し、或いは連絡先情報に対応する電子メールアドレスを入力した電子メールの作成画面を表示部に表示制御する制御部としてコンピュータを機能させること
を特徴とする情報処理プログラム。
【請求項６】
各ユーザの顔画像と共に連絡先情報が登録されているメモリと、
静止画像コンテンツ上の人物の顔画像を抽出する顔画像抽出部と、
上記顔画像抽出部で抽出された顔画像と一致する顔画像を上記メモリから検出する一致画像検出部と、
上記一致画像検出部により、上記顔画像抽出部で抽出された顔画像と一致する顔画像が上記メモリから検出された場合、上記顔画像抽出部で抽出された顔画像と、この顔画像に対応する上記メモリに登録された連絡先情報とをリンク付け処理するリンク付け処理部と、
上記静止画像コンテンツから上記人物が選択された際に、当該選択された人物の顔画像にリンク付け処理されている連絡先情報を上記メモリから取得する連絡先情報取得部と、
上記連絡先情報取得部で取得された連絡先情報に対応する電話番号に電話発信を行うように通信部を制御し、或いは連絡先情報に対応する電子メールアドレスを入力した電子メールの作成画面を表示部に表示制御する制御部と
を有する携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、或いはノート型のパーソナルコンピュータ装置等の携帯機器に適用して好適な情報処理装置、情報処理方法、情報処理プログラム、及び携帯端末装置に関する。
【背景技術】
【０００２】
従来より、撮影画像から人物の顔部分を検出する技術が応用されている。例えば、特開２００６−９４０３５号の公開特許公報（特許文献１）には、撮影した画像中のグループの態様に応じて「かきわり」状のテンプレート画像に顔画像を適切に合成可能な画像処理装置が開示されている。
【０００３】
この画像処理装置は、顔検出部が撮影画像から人物の顔部分を検出すると共に、その人物の顔部分以外の部分に付帯するマーカを検出する。グループ特定部は、検出した人物に付帯するマーカに従って、顔部分を検出した人物のうち同一のグループに属する人物を特定する。テンプレート入力部は、算出されたマーカの総数と同一数の合成領域を有するテンプレート画像を合成部に出力する。トリミング部は、同一のグループに属する人物の顔画像を撮影画像から抽出する。そして、配置部が顔画像を合成領域に配置し、合成部が合成領域に配置された顔画像とテンプレート画像とを合成する。
【０００４】
【特許文献１】特開２００６−９４０３５号公報（第６頁〜第７頁：図３）
【発明の開示】
【発明が解決しようとする課題】
【０００５】
ここで、例えば集合写真を閲覧している際に懐かしい顔を見つけた場合、そのユーザと過ごした日々を思い出し、久しぶりに連絡を取りたい場合がある。しかし、そのユーザに対して電話や電子メールを用いて連絡をとるには、電話帳を起動してそのユーザの個人情報の登録欄を見つけ、この個人情報の登録欄に登録されている電話番号に電話を掛け、或いは電子メールアドレスに電子メールを送信する必要があり、面倒な作業が必要となる。
【０００６】
本発明は上述の課題に鑑みてなされたものであり、集合写真等から所望のユーザが指定された際に、直接的に電話発信や電子メールの作成等を行うことができるような情報処理装置、情報処理方法、情報処理プログラム、及び携帯端末装置の提供を目的とする。
【課題を解決するための手段】
【０００７】
本発明に係る情報処理装置は、上述の課題を解決するための手段として、
静止画像コンテンツ上の人物の顔画像を抽出する顔画像抽出部と、
上記顔画像抽出部で抽出された顔画像と一致する顔画像を、各ユーザの顔画像と共に連絡先情報が登録されているメモリから検出する一致画像検出部と、
上記一致画像検出部により、上記顔画像抽出部で抽出された顔画像と一致する顔画像が上記メモリから検出された場合、上記顔画像抽出部で抽出された顔画像と、この顔画像に対応する上記メモリに登録された連絡先情報とをリンク付け処理するリンク付け処理部と、
上記静止画像コンテンツから上記人物が選択された際に、当該選択された人物の顔画像にリンク付け処理されている連絡先情報を上記メモリから取得する連絡先情報取得部と、
上記連絡先情報取得部で取得された連絡先情報に対応する電話番号に電話発信を行うように通信部を制御し、或いは連絡先情報に対応する電子メールアドレスを入力した電子メールの作成画面を表示部に表示制御する制御部と
を有する。
【０００８】
また、本発明に係る情報処理方法は、上述の課題を解決するための手段として、
顔画像抽出部が、静止画像コンテンツ上の人物の顔画像を抽出するステップと、
一致画像検出部が、上記ステップで抽出された顔画像と一致する顔画像を、各ユーザの顔画像と共に連絡先情報が登録されているメモリから検出するステップと、
リンク付け処理部が、上記ステップで上記顔画像抽出部で抽出された顔画像と一致する顔画像が上記メモリから検出された場合、上記顔画像抽出部で抽出された顔画像と、この顔画像に対応する上記メモリに登録された連絡先情報とをリンク付け処理するステップと、
上記静止画像コンテンツから上記人物が選択された際に、連絡先情報取得部が、上記リンク付け処理部により当該選択された人物の顔画像にリンク付け処理されている連絡先情報を上記メモリから取得するステップと、
制御部が、上記ステップで取得された連絡先情報に対応する電話番号に電話発信を行うように通信部を制御し、或いは上記連絡先情報に対応する電子メールアドレスを入力した電子メールの作成画面を表示部に表示制御するステップと
を有する。
【０００９】
また、本発明に係る情報処理プログラムは、上述の課題を解決するために、
静止画像コンテンツ上の人物の顔画像を抽出する顔画像抽出部としてコンピュータを機能させ、
コンピュータを上記顔画像抽出部として機能させることで抽出された顔画像と一致する顔画像を、各ユーザの顔画像と共に連絡先情報が登録されているメモリから検出する一致画像検出部としてコンピュータを機能させ、
コンピュータを上記一致画像検出部として機能させることで、上記静止画像コンテンツから抽出された顔画像と一致する顔画像が上記メモリから検出された場合、上記顔画像抽出部で抽出された顔画像と、この顔画像に対応する上記メモリに登録された連絡先情報とをリンク付け処理するリンク付け処理部としてコンピュータを機能させ、
上記静止画像コンテンツから上記人物が選択された際に、当該選択された人物の顔画像にリンク付け処理されている連絡先情報を上記メモリから取得する連絡先情報取得部としてコンピュータを機能させ、
上記連絡先情報取得部としてコンピュータを機能させることで取得された連絡先情報に対応する電話番号に電話発信を行うように通信部を制御し、或いは連絡先情報に対応する電子メールアドレスを入力した電子メールの作成画面を表示部に表示制御する制御部としてコンピュータを機能させる。
【００１０】
また、本発明に係る携帯端末装置は、上述の課題を解決するための手段として、
各ユーザの顔画像と共に連絡先情報が登録されているメモリと、
静止画像コンテンツ上の人物の顔画像を抽出する顔画像抽出部と、
上記顔画像抽出部で抽出された顔画像と一致する顔画像を上記メモリから検出する一致画像検出部と、
上記一致画像検出部により、上記顔画像抽出部で抽出された顔画像と一致する顔画像が上記メモリから検出された場合、上記顔画像抽出部で抽出された顔画像と、この顔画像に対応する上記メモリに登録された連絡先情報とをリンク付け処理するリンク付け処理部と、
上記静止画像コンテンツから上記人物が選択された際に、当該選択された人物の顔画像にリンク付け処理されている連絡先情報を上記メモリから取得する連絡先情報取得部と、
上記連絡先情報取得部で取得された連絡先情報に対応する電話番号に電話発信を行うように通信部を制御し、或いは連絡先情報に対応する電子メールアドレスを入力した電子メールの作成画面を表示部に表示制御する制御部と
を有する。
【００１１】
このような本発明は、各静止画像コンテンツ上の人物の連絡先情報をメモリから検出し、予めリンク付けしておく。そして、表示した静止画像コンテンツから所望の人物が選択された際に、上記リンク付けしておいた連絡先情報をメモリから読み出し、電話発信を行い、或いは電子メールの作成画面を表示する。これにより、静止画像コンテンツから人物を選択するだけで、その人物に対して、直接的に連絡を取ることを可能とすることができる。
【発明の効果】
【００１２】
本発明は、集合写真等から所望のユーザを指定するだけで、直接的に電話発信や電子メールの作成等を行うことができる。
【発明を実施するための最良の形態】
【００１３】
本発明は、携帯電話機に適用することができる。
【００１４】
［携帯電話機の電気構成］
この本発明の実施の形態となる携帯電話機は、図１に示すように基地局との間で無線通信を行うアンテナ１及び通信回路２と、着信音や受話音声等の音響出力を得るためのスピーカ部３と、送話音声を集音するマイクロホン部４と、画像（動画像、静止画像等）や文字等の他、後に説明する「ライフタイムカレンダー」を表示するための表示部５とを有している。
【００１５】
また、この携帯電話機は、文字等の入力操作や所望のメニューの選択操作等を行うための操作部６と、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９とを有している。
【００１６】
また、この携帯電話機は、現在時刻をカウントするタイマ１０と、基地局を介した無線通信処理を行うための通信処理プログラム（コミュニケーションプログラム）の他、各種アプリケーションプログラムや、これら各アプリケーションプログラムで取り扱われる各種データ（コンテンツ）等が記憶されたメモリ１１と、当該携帯電話機全体を制御する制御部１２とを有している。
【００１７】
メモリ１１には、電子メールの作成や送受信を制御するための電子メール管理プログラムと、カメラ部８の撮像制御や、カメラ部８で撮像され、或いはネットワークや入力端子を介して取り込まれた動画像、静止画像のビューワ機能を有するカメラ制御プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００１８】
また、メモリ１１には、上記「ライフタイムカレンダー」を表示部５に表示すると共に、この「ライフタイムカレンダー」に基づいて指定された情報処理に対応するアプリケーションプログラムを、上記各種アプリケーションプログラムから選択して起動させる、いわゆるランチャーソフトウェアとして機能するライフタイムカレンダーアプリケーションプログラムが記憶されている。
【００１９】
また、メモリ１１には、ユーザの所望のスケジュールが登録されるスケジュール帳と、ユーザの知人や友人等の静止画像、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴と、後述する「想い出ポップアップ表示」を行った際の履歴である想い出リスト等が記憶されている。
【００２０】
［携帯電話機の外観構成］
一例ではあるが、この実施の形態の携帯電話機は、図２（ａ）、（ｂ）に示すように上筐体２１及び下筐体２２をヒンジ部２３を介して折り畳み可能に接続した、いわゆる折り畳み式の携帯電話機となっている。なお、図２（ａ）は、開状態時の当該携帯電話機を、内面側（閉状態時に突き合わせられる面側）から見た図であり、図２（ｂ）は、開状態時の当該携帯電話機を、外面側から見た図である。
【００２１】
図２（ａ）において、この携帯電話機は、上筐体２１に表示部５を有している。また、この携帯電話機は、筐体２１の上端部２１ａと表示部５の上端部５ａとの間に、通話用のスピーカ部３と、第２のカメラ部８ｂ（インカメラ部）とを有している。また、この携帯電話機は、下筐体２２に操作部６を有しており、この操作部６と下筐体２２の下端部２２ａとの間に通話用或いは周囲の音声集音用となるマイクロホン部４を有している。
【００２２】
操作部６は、上下左右に押圧操作可能な十字キー２４と、この十字キーの中央部に設けられた決定キー２５とを有している。また、操作部６は、通常は、電子メール管理プログラムの起動を指示する際に押圧操作を行う第１のソフトキー２６と、通常は、インターネット等のネットワーク接続を指示する際に押圧操作を行う第２のソフトキー２７とを有している。また、操作部６は、通常は、メインメニューの表示を指示する際に押圧操作を行う第３のソフトキー２８と、通常は、所望のコマンドを割り当てて使用する第４のソフトキー２９とを有している。
【００２３】
また、操作部６は、通常、電話発信や着信した電話を取る際に押圧操作するオフフックキー３０と、通常、メイン電源のオンオフ時及び通話終了時に押圧操作するオンフックキー３１と、通常、入力した文字の削除や指定した動作の訂正時等に押圧操作するクリアキー３２と、０〜９の数字やアルファベット、アスタリスク「＊」、シャープ「＃」等の文字が割り当てられた１２個の１２キー３３とを有している。
【００２４】
また、この携帯電話機は、図２（ｂ）に示すように、下筐体２２の背面側（上記操作部６が設けられている面に対して反対側となる面）に第１のカメラ部８ａ（メインカメラ部）を有している。すなわち、この携帯電話機は、図１のブロック図に示すカメラ部８として、メインカメラ部８ａとインカメラ部８ｂとの、計２つのカメラ部を有している。そして、主に、メインカメラ部８ａは他のユーザや風景等を撮像する場合に用いられ、インカメラ部８ｂは当該携帯電話機のユーザ等を撮像（いわゆる自分撮り）する際に用いられるようになっている。
【００２５】
［ライフタイムカレンダーの概要］
この実施の形態の携帯電話機は、画像コンテンツ（静止画像、動画像）、電子メールコンテンツ、スケジュールコンテンツ、電話帳コンテンツ等の、通常、それぞれ専用のアプリケーションプログラムで別々に取り扱われる各種コンテンツを一括して取り扱い、これらのコンテンツを時系列に沿って一覧化した「ライフタイムカレンダー」を表示する機能（ライフタイムカレンダー表示機能）を有している。
【００２６】
このライフタイムカレンダーは、制御部１２が、メモリ１１に記憶されているライフタイムカレンダーアプリケーションプログラムに基づいて動作することで表示されるようになっている。ライフタイムカレンダーアプリケーションプログラムは、各コンテンツのアプリケーションプログラムと連携するコンテンツランチャーソフトウェアとなっている。すなわち、ライフタイムカレンダー上に一覧化して表示したコンテンツの編集等を行う際には、この編集等を行うコンテンツに対応する専用のアプリケーションプログラムが起動するようになっている。
【００２７】
また、ライフタイムカレンダー上に表示するコンテンツは、後に説明する「表示設定機能」及び「フィルタ設定機能」により、ユーザが任意に指定可能となっている。
【００２８】
また、このライフタイムカレンダーアプリケーションプログラムは、複数のコンテンツの中から乱数を用いてランダムに代表的なコンテンツを選出する「レーティング機能」を有している。例えば、表示すべき静止画像コンテンツが多数存在することで、上記ライフタイムカレンダー上に一度に表示できない場合、制御部１２は、ライフタイムカレンダーアプリケーションプログラムの「レーティング機能」に基づいて代表的な静止画像コンテンツをランダムに選出し、これをライフタイムカレンダー上に表示するようになっている。
【００２９】
また、上記ライフタイムカレンダー上に一度に表示できない場合に表示される上記代表的なコンテンツは、この「レーティング機能」に基づいて、所定のタイミングで変更されるようになっている。この場合、一度表示したコンテンツ以外のコンテンツを、上記代表的なコンテンツとして選出して表示するようになっている。
【００３０】
また、この実施の形態の携帯電話機の場合、操作部６の操作に応じてライフタイムカレンダー上の「フォーカス」を移動させて、該ライフタイムカレンダーの操作を行うようになっている。このフォーカスは、選択中のメニューやコンテンツ等の枠部分或いは全体を、非選択中のメニューやコンテンツよりも輝度や表示色を変更して表示する表示形態である。以下、このようなフォーカスの移動操作を「フォーカスを当てる」との文言を用いて表現することとする。
【００３１】
なお、この例では、選択中のメニューやコンテンツ等に上記「フォーカスを当てる」ことで、ユーザに対して選択中のメニューやコンテンツ等を認識させることとしたが、いわゆるカーソルの移動により、ユーザに対して選択中のメニューやコンテンツ等を認識させるようにしてもよい。
【００３２】
また、このライフタイムカレンダーは、ライフタイムカレンダー上のいずれかの日付にフォーカスが所定時間以上当たっていた場合に、このフォーカスが当たっている日付に対して過去となる日付（例えば、１年前の日付や１ヶ月前の日付等）に対応するコンテンツを、ライフタイムカレンダーの一部に重ねてポップアップ表示する「想い出ポップアップ機能」を有している。
【００３３】
［ライフタイムカレンダーで取り扱うメタデータ］
図３に、ライフタイムカレンダーアプリケーションプログラムで取り扱う各コンテンツの種類及び各コンテンツのメタデータの一部を示す。
【００３４】
この図３からわかるように、ライフタイムカレンダーアプリケーションプログラムでは、「静止画像コンテンツ」、「受信電子メールコンテンツ」、「送信電子メールコンテンツ」、「スケジュールコンテンツ」、及び電話帳に登録された「誕生日コンテンツ」を取り扱うようになっている。
【００３５】
なお、この図３には、ライフタイムカレンダーアプリケーションプログラムで取り扱うコンテンツとして、静止画像コンテンツ、送受信した電子メールコンテンツ、スケジュールコンテンツ及び電話帳に登録された誕生日コンテンツを図示しているが、ライフタイムカレンダーアプリケーションプログラムでは、この他、動画像コンテンツ、音楽コンテンツ等も取り扱うようになっている。
【００３６】
〔静止画像コンテンツのメタデータ〕
「静止画像コンテンツ」としては、撮影時刻／保存時刻データ、サムネイル画像、管理用タイトル、ファイル種別アイコン（静止画像アイコン）、ファイルサイズアイコン及び取得元アイコンの各メタデータがライフタイムカレンダー上で取り扱われるようになっている。
【００３７】
撮影時刻データは、カメラ部８で撮像を行った静止画像をメモリ１１に保存する際に、制御部１２がタイマ１０で計時されている時刻情報を取り込んで静止画像コンテンツに付加したデータである。
【００３８】
なお、所定のＷｅｂサイトからダウンロード等を行った静止画像の場合、撮影時刻データが付加されていないものもある。この場合、制御部１２は、メモリ１１に静止画像コンテンツを保存する際に、タイマ１０から時刻情報（＝保存時刻）を取り込み、これをダウンロード等を行った静止画像に対して付加する。図３の「撮影時刻／保存時刻」との記載は、これを意味している。
【００３９】
サムネイル画像は、制御部１２が、ライフタイムカレンダー上に表示を行う際に、メモリ１１に記憶されている元となる静止画像コンテンツに基づいてリアルタイムに形成する、例えば１２０ドット×１６０ドットの大きさの画像である。なお、動画像コンテンツのサムネイル画像をライフタイムカレンダー上に表示する場合、制御部１２は、例えばその動画像コンテンツの最初のフレーム画像から上記１２０ドット×１６０ドットの大きさのサムネイル画像をリアルタイムに形成して、ライフタイムカレンダー上に表示する。
【００４０】
管理用タイトルは、静止画像コンテンツのタイトル名を示すデータである。この管理用タイトルとしては、カメラ部８で撮像した静止画像コンテンツをメモリ１１に保存する際に、制御部１２が、タイマ１０から取り込んだ現在時刻情報に対応する撮影年月日及び撮影時刻を上記静止画像コンテンツに対して自動的に付加するようになっている。すなわち、カメラ部８で撮像された静止画像コンテンツの管理用タイトルとしては、最初は、撮影年月日及び撮影時刻が自動的に付加される。
【００４１】
この管理用タイトルは、静止画像コンテンツをメモリ１１に保存した後に編集が可能となっている。管理用タイトルの編集を行う場合、ユーザは、所望のタイミングで管理用タイトルの編集画面を表示させ、操作部６を操作して所望の管理用タイトルを入力する。制御部１２は、このユーザにより入力された管理用タイトルを、その静止画像コンテンツに付加されている上記自動的に付加された撮影年月日及び撮影時刻に上書きする。これにより、その静止画像コンテンツの管理用タイトルが所望の管理用タイトルに変更されることとなる。
【００４２】
なお、制御部１２は、所定のＷｅｂサイトからダウンロード等を行った静止画像コンテンツのうち、既に管理用タイトルが付加されている静止画像コンテンツは、その付加されている管理用タイトルをそのまま取り扱い、管理用タイトルが付加されていない静止画像コンテンツは、ダウンロードを行った年月日及び時刻を管理用タイトルとして、その静止画像コンテンツに自動的に付加する。この自動的に付加された管理用タイトルも、前述の管理用タイトルの編集画面においてユーザが任意に変更可能となっている。
【００４３】
このライフタイムカレンダーにおいては、ＪＰＥＧ形式（JPEG：Joint Photographic Experts Group）、ＧＩＦ形式（アニメーションＧＩＦを含む。GIF：Graphic Interchange Format）、ＳＷＦ形式（SWF：Shockwave Flash、登録商標）、ＩＦＭ（スタンプ及びフレーム）等の各種画像形式を取り扱い可能となっている。
【００４４】
上記ファイル種別アイコン（静止画像アイコン）は、このようないずれかの画像形式の静止画像コンテンツが存在することを示すアイコンであり、上記ファイルサイズアイコンは、静止画像コンテンツのファイルサイズを示すアイコンとなっている。
【００４５】
取得元アイコンは、その静止画像コンテンツの取得元を示すアイコンである。このライフタイムカレンダーでは、例えばカメラ部８で撮像された静止画像コンテンツの場合、取得元がカメラ部８であることを示すアイコンを表示し、所定のＷｅｂサイトからダウンロードした静止画像コンテンツの場合、取得元が上記Ｗｅｂサイトであることを示すアイコンを表示するようになっている。
【００４６】
なお、ライフタイムカレンダー上で静止画像コンテンツの表示等が指定された場合、制御部１２は、メモリ１１に記憶されているカメラ制御プログラムのビューワ機能に基づいて、上記指定された静止画像コンテンツの表示等を行うようになっている。
【００４７】
〔受信電子メールコンテンツのメタデータ〕
「受信電子メールコンテンツ」は、受信時刻データ、ファイル種別アイコン（受信メールアイコン）、Ｆｒｏｍアイコン、送信元名／送信元アドレス、添付データアイコン、送信元画像、件名アイコン、件名データの各メタデータがライフタイムカレンダー上で取り扱われるようになっている。
【００４８】
受信時刻データは、その電子メールを受信した時刻を示すデータである。制御部１２は、電子メールを受信したタイミングでタイマ１０から時刻情報を取り込み、この取り込んだ時刻情報を、受信した電子メールに付加してメモリ１１に保存する。そして、制御部１２は、この電子メールに付加した時刻情報を、受信時刻データとしてライフタイムカレンダー上に表示するようになっている。
【００４９】
ファイル種別アイコン（受信メールアイコン）は、受信電子メールコンテンツが存在することを示すアイコンであり、一例として封書の画像に、受信を意味する下方向の矢印の画像を付したアイコンとなっている。
【００５０】
Ｆｒｏｍアイコンは、送信元名の表示欄であることを示すアイコンであり、「Ｆｒｏｍ」の文字のアイコンとなっている。
【００５１】
送信元画像は、電話帳に登録されている各ユーザの画像である。すなわち、メモリ１１に記憶されている電話帳には、各ユーザの画像の登録欄が設けられている。当該携帯電話機のユーザは、通常、カメラ部８で撮像した各ユーザの顔等の撮像画像を、この電話帳内の登録欄に登録する。制御部１２は、受信電子メールコンテンツに付されている電子メールアドレスに基づいて電話帳を検索することで、この受信電子メールコンテンツの送信元となるユーザの撮像画像（＝送信元画像）を検出してライフタイムカレンダー上に表示する。なお、電話帳に登録されている画像の画像サイズが、ライフタイムカレンダー上の表示サイズとは異なる場合、制御部１２は、電話帳に登録されている画像を、例えば１２０ドット×１６０ドットの大きさの画像に縮小処理或いは拡大処理し、ライフタイムカレンダー上に表示するようになっている。
【００５２】
送信元名／送信元アドレスは、受信した電子メールの送信元を示すデータである。制御部１２は、受信した電子メールの送信元を示すデータとして、上記送信元画像、送信元名或いは送信元アドレスのいずれかをライフタイムカレンダー上に表示する。
【００５３】
すなわち、制御部１２は、ライフタイムカレンダー上に表示する優先順位を、送信元画像、送信元名、送信元アドレスの順としており、受信した電子メールに対応する送信元画像、送信元名及び送信元アドレスが電話帳に登録されている場合は、送信元画像をライフタイムカレンダー上に表示する。また、受信した電子メールに対応する送信元画像が登録されておらず、送信元名及び送信元アドレスが電話帳に登録されている場合は、送信元名をライフタイムカレンダー上に表示し、受信した電子メールに対応する送信元画像及び送信元名が登録されておらず、送信元アドレスのみが電話帳に登録されている場合、或いは電話帳に未登録の場合、送信元アドレスをライフタイムカレンダー上に表示する。
【００５４】
添付データアイコンは、受信した電子メールに対して画像データや音楽データ等の添付データが付加されていた場合に、制御部１２がライフタイムカレンダー上に表示するアイコンである。一例ではあるが、制御部１２は、この添付データアイコンとして、クリップの画像のアイコンをライフタイムカレンダー上に表示することで、ユーザに対して添付データの存在を示すようになっている。
【００５５】
件名アイコンは、受信電子メールコンテンツに付されている表題（件名）の表示欄であることを示すアイコンである。また、件名データは、受信電子メールコンテンツに付されている表題（件名）である。制御部１２は、受信した電子メールに付されている件名データを、この件名アイコンに隣接させてライフタイムカレンダー上に表示するようになっている。
【００５６】
なお、ライフタイムカレンダー上で受信電子メールコンテンツの表示等が指定された場合、制御部１２は、メモリ１１に記憶されている電子メール管理プログラムを起動して、上記指定された電子メールの文章等を表示するようになっている。
【００５７】
また、ライフタイムカレンダー上で受信電子メールコンテンツに添付されていた添付データの表示等が指定された場合、制御部１２は、その添付データに対応するアプリケーションプログラムを起動して、該指定された添付データを表示するようになっている。例えば、添付データとして静止画像が付加されていた場合、ライフタイムカレンダー上で添付データの表示が指定されると、制御部１２は、メモリ１１に記憶されているカメラ制御プログラムのビューワ機能に基づいて、この場合の添付データである静止画像の表示を行う。同様に、添付データが音楽コンテンツである場合、ライフタイムカレンダー上で添付データの再生が指定されると、制御部１２は、メモリ１１に記憶されている音楽プレーヤプログラムに基づいて、この場合の添付データである音楽コンテンツの再生を行う。
【００５８】
〔送信電子メールコンテンツのメタデータ〕
「送信電子メールコンテンツ」は、送信時刻データ、ファイル種別アイコン（送信メールアイコン）、Ｔｏアイコン、宛先名／宛先アドレス、複数人アイコン、添付データアイコン、宛先画像、件名アイコン、件名データの各メタデータがライフタイムカレンダー上で取り扱われるようになっている。
【００５９】
送信時刻データは、その電子メールを送信した時刻を示すデータである。制御部１２は、電子メールを送信したタイミングでタイマ１０から時刻情報を取り込み、この取り込んだ時刻情報を、送信した電子メールに付加してメモリ１１に保存する。そして、制御部１２は、この電子メールに付加した時刻情報を、送信時刻データとしてライフタイムカレンダー上に表示するようになっている。
【００６０】
ファイル種別アイコン（送信メールアイコン）は、送信電子メールコンテンツが存在することを示すアイコンであり、一例として封書の画像に、送信を意味する上方向の矢印の画像を付したアイコンとなっている。
【００６１】
Ｔｏアイコンは、電子メールを送信した相手となるユーザ名（宛先名）の表示欄であることを示すアイコンであり、「Ｔｏ」の文字のアイコンとなっている。
【００６２】
宛先画像は、上述の送信元画像と同じく、電話帳に登録されている各ユーザの画像である。ライフタイムカレンダーでは、この電話帳に登録されている各ユーザの画像を、上述の「送信元画像」及びこの「宛先画像」として取り扱う。なお、電話帳に登録されている画像の画像サイズが、ライフタイムカレンダーで取り扱う画像の表示サイズとは異なる場合、制御部１２は、電話帳に登録されている画像を縮小処理或いは拡大処理してライフタイムカレンダー上に表示することは、上述のとおりである。
【００６３】
宛先名／宛先アドレスは、送信した電子メールの宛先を示すデータである。制御部１２は、送信した電子メールの宛先を示すデータとして、上記宛先画像、宛先名或いは宛先アドレスのいずれかをライフタイムカレンダー上に表示する。
【００６４】
すなわち、制御部１２は、ライフタイムカレンダー上に表示する優先順位を、宛先画像、宛先名、宛先アドレスの順としており、送信した電子メールに対応する宛先画像、宛先名及び宛先アドレスが電話帳に登録されている場合は、宛先画像をライフタイムカレンダー上に表示する。また、送信した電子メールに対応する宛先画像が登録されておらず、宛先名及び宛先アドレスが電話帳に登録されている場合は、宛先名をライフタイムカレンダー上に表示し、送信した電子メールに対応する宛先画像及び宛先名が登録されておらず、宛先アドレスのみが電話帳に登録されている場合、或いは電話帳に未登録の場合は、宛先アドレスをライフタイムカレンダー上に表示する。
【００６５】
複数人アイコンは、その送信電子メールコンテンツが、複数のユーザに対して同時に送信した電子メールである場合に表示されるアイコンである。一例ではあるが、この複数人アイコンは、その電子メールを複数人に同時に送信したことを、ユーザが直感的にわかるように、３人の人間の画像のアイコンとなっている。
【００６６】
なお、この複数人アイコンは、複数のユーザに対して同時に送信した送信電子メールコンテンツに対してのみ表示することとするが、受信した電子メールが、複数のユーザに対して同時に送信された電子メールである場合も、この複数人アイコンを表示し、その受信した電子メールが、複数のユーザに対して同時に送信されたものであることを示すようにしてもよい。
【００６７】
添付データアイコンは、送信した電子メールに対して添付データを付加した場合に表示されるアイコンである。上述のように、この添付データアイコンは、クリップの画像のアイコンとなっている。
【００６８】
件名アイコンは、送信電子メールコンテンツに付されている表題（件名）の表示欄であることを示すアイコンである。また、件名データは、送信電子メールコンテンツに付されている表題である。制御部１２は、送信した電子メールに付されている件名データを、この件名アイコンに隣接させてライフタイムカレンダー上に表示するようになっている。
【００６９】
なお、ライフタイムカレンダー上で送信電子メールコンテンツの表示等が指定された場合、制御部１２は、メモリ１１に記憶されている電子メール管理プログラムを起動して、上記指定された電子メールの文章等を表示するようになっている。
【００７０】
また、ライフタイムカレンダー上で送信電子メールコンテンツに添付されていた添付データの表示等が指定された場合、制御部１２は、その添付データに対応するアプリケーションプログラムを起動して、該指定された添付データを表示するようになっている。例えば、添付データとして静止画像が付加されていた場合、ライフタイムカレンダー上で添付データの表示が指定されると、制御部１２は、メモリ１１に記憶されているカメラ制御プログラムのビューワ機能に基づいて、この場合の添付データである静止画像の表示を行う。同様に、添付データが音楽コンテンツである場合、ライフタイムカレンダー上で添付データの再生が指定されると、制御部１２は、メモリ１１に記憶されている音楽プレーヤプログラムに基づいて、この場合の添付データである音楽コンテンツの再生を行う。
【００７１】
〔スケジュールコンテンツのメタデータ〕
「スケジュールコンテンツ」としては、スケジュールの開始時刻データ、ファイル種別アイコン（スケジュールアイコン）、分類アイコン、スケジュールの要約／内容を示すデータ、アラームアイコン、アラームのＯＮ／ＯＦＦ設定を示すデータ、休祝日設定データの各メタデータがライフタイムカレンダー上で取り扱われるようになっている。
【００７２】
スケジュールの開始時刻データは、スケジュール帳に登録されているスケジュールの開始時刻を示すデータである。制御部１２は、ライフタイムカレンダー上にスケジュールを表示する際、スケジュール帳に登録されているスケジュールの開始時刻を検出し、これをライフタイムカレンダー上に表示するようになっている。
【００７３】
ファイル種別アイコン（スケジュールアイコン）は、スケジュールの存在を示すアイコンである。一例ではあるが、このスケジュールアイコンとしては、カレンダー及び鉛筆をモチーフとした画像のアイコンがライフタイムカレンダー上に表示されるようになっている。
【００７４】
分類アイコンは、登録されているスケジュールの分類を示すアイコンである。ユーザは、スケジュール帳にスケジュールを登録する際に、一覧表示された各分類アイコンの中から、登録したスケジュールに対応する分類アイコンを選択するようになっている。制御部１２は、このスケジュールの登録時に選択された分類アイコンを、上記スケジュールの開始時刻と共にライフタイムカレンダー上に表示する。
【００７５】
スケジュールの要約／内容を示すデータは、ユーザがスケジュールを登録した際に、そのスケジュールの表題の項に入力したデータである。制御部１２は、この表題の項に入力されたデータを、スケジュールの要約としてライフタイムカレンダー上に表示する。
【００７６】
なお、そのスケジュールの表題の項に対する入力がなされていない場合、制御部１２は、そのスケジュールの内容の項に入力されている文字列の先頭から例えば１０文字等の文字列をライフタイムカレンダー上に表示する。図３に示す「スケジュールの要約／内容」との記載は、これを意味している。
【００７７】
アラームアイコンは、例えば鐘をモチーフとした画像のアイコンとなっており、アラームのＯＮ／ＯＦＦ設定を示すデータは、そのスケジュールに対してアラーム設定がなされているか否かを示すデータとなっている。制御部１２は、そのスケジュールに対してアラーム設定がなされている場合は、上記鐘の画像のアラームアイコンに隣接させて「ＯＮ」の文字をライフタイムカレンダー上に表示し、そのスケジュールに対してアラーム設定がなされていない場合は、上記鐘の画像のアラームアイコンに隣接させて「ＯＦＦ」の文字をライフタイムカレンダー上に表示する。
【００７８】
休祝日設定データは、スケジュール帳に対してユーザが指定した休祝日を示すデータである。例えば、一般的には平日とされている日に、ユーザが個人的に休暇を取った場合、この休暇を取った日を、ユーザは休祝日としてスケジュール帳に登録可能となっている。制御部１２は、ライフタイムカレンダー上の表示日に対して、休祝日設定がなされているか否かをスケジュール帳から判断する。そして、制御部１２は、その表示日に対して休祝日設定がなされている場合、例えばその日付欄の表示色を変更する等の表示形態の変更処理を行い、ライフタイムカレンダー上に表示する。
【００７９】
なお、ライフタイムカレンダー上でスケジュールの表示等が指定された場合、制御部１２は、メモリ１１に記憶されているスケジュール管理プログラムを起動して、上記指定されたスケジュールの内容等を表示する。
【００８０】
また、上記スケジュール帳にスケジュールを登録する際に、例えば「会社」、「学校」、「家」等の、スケジュールを実行する「場所」を示す文字を入力するようになっている場合、制御部１２は、このスケジュールを実行する場所をスケジュール帳から読み出してライフタイムカレンダー上に表示するようにしてもよい。
【００８１】
〔誕生日コンテンツのメタデータ〕
「誕生日コンテンツ」は、誕生年月日データ、ユーザ名、ファイル種別アイコン（誕生日アイコン）、フレーム画像（画枠画像）、サムネイル画像の各メタデータがライフタイムカレンダー上で取り扱われるようになっている。
【００８２】
この実施の形態の携帯電話機の場合、電話帳には、ユーザのユーザ名、電話番号及び電子メールアドレスの各登録欄の他、そのユーザの静止画像、画枠となるフレーム画像、及び生年月日の各登録欄が設けられている。
【００８３】
また、当該携帯電話機の場合、当該携帯電話機の持ち主となるユーザの静止画像、画枠となるフレーム画像、住所、電子メールアドレス、携帯電話番号、生年月日等の個人情報の登録欄が、上記電話帳とは別に設けられている。
【００８４】
制御部１２は、この電話帳、或いは個人情報の登録欄に登録されている各情報に基づいて、ライフタイムカレンダー上における、上記電話帳に登録されたユーザの誕生日に対応する日付の表示欄、及び上記個人情報の登録欄に登録された当該携帯電話機の持ち主の誕生日に対応する日付の表示欄に、例えばケーキの画像の誕生日アイコンと、例えば花の画像の画枠となるフレーム画像（いくつかのフレーム画像のうち、当該携帯電話機の持ち主となるユーザにより選択されたフレーム画像でもよい。）、その日付が誕生日となるユーザの顔等の静止画像、或いは当該携帯電話機の持ち主の顔等の静止画像、及びその日付が誕生日となるユーザ或いは当該携帯電話機の持ち主のユーザ名を表示するようになっている。
【００８５】
なお、ライフタイムカレンダー上で、この「誕生日コンテンツ」が選択された場合、制御部１２は、電話帳のアプリケーションプログラムを起動して、その「誕生日コンテンツ」に対応するユーザの個人情報の登録欄を表示制御し、或いは、当該携帯電話機の所有者の個人情報を表示するためのアプリケーションプログラムを起動して、その「誕生日コンテンツ」に対応する当該携帯電話機の所有者の個人情報の登録欄を表示制御する。
【００８６】
［ライフタイムカレンダーの設定詳細］
次に、このようなライフタイムカレンダーで取り扱われる各種コンテンツの表示の有無や表示を行うまでの時間等は当該ライフタイムカレンダーの設定画面において設定可能となっている。この設定を行う場合、ユーザは、表示部５に全体の設定メニューを表示し、この全体の設定メニューの中からライフタイムカレンダーの設定メニューを選択するように、操作部６を操作する。この操作がなされると、制御部１２は、図４（ａ）に示すライフタイムカレンダーの設定画面（ＬＴＣ設定画面）を表示部５に表示制御する。
【００８７】
このライフタイムカレンダーの設定画面としては、「表示設定」、「フィルタ設定」、「想い出表示時間」の各設定メニューが表示される。制御部１２は、ユーザによる図２に示す十字キー２４の上下操作に応じて、「表示設定」、「フィルタ設定」及び「想い出表示時間」の各設定メニューの間でフォーカスを移動表示制御する。
【００８８】
また、制御部１２は、この移動表示制御により上記各設定メニューにフォーカスを当てた際に、そのフォーカスを当てた設定メニューの説明文を表示するようになっている。具体的には、図４（ａ）に示す例は、「フィルタ設定」の設定メニューにフォーカスが当たっている例であり、この場合、制御部１２は、例えば「電話帳に登録されていないアドレスからの受信メールを非表示にします」等の、当該「フィルタ設定」の設定メニューの説明文を表示部５の余領域に表示制御する。このように、フォーカスを当てた設定メニューの説明文を表示することで、現在、フォーカスが当たっている設定メニューの設定内容をユーザに対して認識させることができ、ユーザが希望する設定メニューを容易に選択可能とすることができる。
【００８９】
次に、ユーザは、十字キー２４を上下操作することで、「表示設定」、「フィルタ設定」、及び「想い出表示時間」の各設定メニューの中から所望の設定メニューにフォーカスを移動操作し、図２に示す決定キー２５を押圧操作する。
【００９０】
〔表示設定〕
制御部１２は、「表示設定」の設定メニューにフォーカスを当てている際に、決定キー２５の押圧操作を検出すると、図４（ｂ）に示す「表示設定」の設定メニューの表示画面を表示部５に表示制御する。この「表示設定」の設定メニューは、「静止画像コンテンツ」、「受信電子メールコンテンツ」、「送信電子メールコンテンツ」、「スケジュールコンテンツ」、及び「誕生日コンテンツ」をライフタイムカレンダー上に表示するか否かを設定するための設定メニューとなっている。
【００９１】
具体的には、制御部１２は、この「表示設定」の設定メニューとして、「静止画像コンテンツ」、「受信電子メールコンテンツ」、「送信電子メールコンテンツ」、「スケジュールコンテンツ」、及び「誕生日コンテンツ」に対する各設定メニューを表示する。
【００９２】
このうち、「静止画像コンテンツ」の設定メニューは、ライフタイムカレンダー上に対する静止画像の表示の有無や、表示する静止画像が記憶されているフォルダの指定を行うためのメニューとなっている。
【００９３】
ユーザは、ライフタイムカレンダー上に表示する静止画像を制限しない場合、「全表示／指定表示／非表示」のプルダウンメニューの中から「全表示」を選択操作する。この「全表示」が選択されている場合、制御部１２は、当該携帯電話機内に記憶されている全ての静止画像の中からライフタイムカレンダー上に表示する静止画像を選択して表示を行うこととなる。
【００９４】
これに対して、ユーザは、上記静止画像をライフタイムカレンダー上に表示しない場合、上記「全表示／指定表示／非表示」のプルダウンメニューの中から「非表示」を選択操作する。この「非表示」が選択されている場合、制御部１２は、当該携帯電話機内に記憶されている全ての静止画像を、ライフタイムカレンダーに対する表示対象から除外する。従って、この「非表示」が選択されている場合は、ライフタイムカレンダー上に静止画像の表示は行われないこととなる。
【００９５】
これに対して、ライフタイムカレンダー上に表示する静止画像が記憶されているフォルダを指定する場合、ユーザは、「全表示／指定表示／非表示」のプルダウンメニューの中から「指定表示」を選択操作する。この「指定表示」が選択操作されると、制御部１２は、「フォルダ指定」の選択欄を全輝度表示する。すなわち、上記プルダウンメニューの中から「全表示」及び「非表示」が選択された場合、制御部１２は、この「フォルダ指定」の選択欄を半輝度表示（グレー表示）することで、ユーザに対して、この「フォルダ指定」の選択欄はノンアクティブであることを示す。これに対して、上記「指定表示」が選択操作された場合、制御部１２は、「フォルダ指定」の選択欄を全輝度表示し、ユーザに対して、この「フォルダ指定」の選択欄がアクティブとなったことを示す。
【００９６】
この実施の形態の携帯電話機においては、ユーザは、カメラ部８で撮像した静止画像や、ネットワーク等を介してダウンロードした静止画像、或いは電子メールに添付されて送受信された静止画像等を、メモリ１１内に形成した複数の静止画像フォルダに、例えば撮像日時やタイトル等に分類して保存しておくことが可能となっている。ユーザは、上記「フォルダ指定」の選択欄をアクティブとした際に、上記各フォルダの中から所望のフォルダを指定操作する。この指定操作がなされると、制御部１２は、ユーザにより指定されたフォルダ内に保存している静止画像コンテンツのみを、ライフタイムカレンダー上に表示する。
【００９７】
次に、「受信電子メールコンテンツ」の設定メニューは、ライフタイムカレンダー上に対する受信電子メールの表示の有無や、表示する受信電子メールが記憶されているフォルダ、電子メールアドレス、及び種類の設定を行うための設定メニューとなっている。
【００９８】
ユーザは、ライフタイムカレンダー上に表示する受信電子メールを全て表示してもよい場合、「全表示／指定表示／非表示」のプルダウンメニューの中から「全表示」を選択操作する。この「全表示」が選択されている場合、制御部１２は、当該携帯電話機内に記憶されている全ての受信電子メールの中からライフタイムカレンダー上に表示する受信電子メールを選択して表示を行うこととなる。
【００９９】
これに対して、ユーザは、受信電子メールコンテンツをライフタイムカレンダー上に表示しない場合、上記「全表示／指定表示／非表示」のプルダウンメニューの中から「非表示」を選択操作する。この「非表示」が選択されている場合、制御部１２は、当該携帯電話機内に記憶されている全ての受信電子メールコンテンツを、ライフタイムカレンダーに対する表示対象から除外する。従って、この「非表示」が選択されている場合は、ライフタイムカレンダー上に受信電子メールコンテンツの表示は行われないこととなる。
【０１００】
また、指定した受信電子メールコンテンツのみをライフタイムカレンダー上に表示する場合、ユーザは、「全表示／指定表示／非表示」のプルダウンメニューの中から「指定表示」を選択操作する。この「指定表示」が選択操作されると、制御部１２は、「フォルダ指定」、「メールアドレス指定」、「保護指定」の各選択欄を全輝度表示する。
【０１０１】
すなわち、上記プルダウンメニューの中から「全表示」及び「非表示」が選択された場合、制御部１２は、これら「フォルダ指定」、「メールアドレス指定」、「保護指定」の各選択欄を半輝度表示（グレー表示）することで、ユーザに対して、これら各選択欄はノンアクティブであることを示す。これに対し、上記「指定表示」が選択操作された場合、制御部１２は、「フォルダ指定」、「メールアドレス指定」、「保護指定」の各選択欄を全輝度表示し、ユーザに対して、当該各選択欄がアクティブとなったことを示す。
【０１０２】
この実施の形態の携帯電話機においては、メモリ１１内に複数の受信電子メールフォルダを形成可能となっており、ユーザは、受信電子メールコンテンツの受信日時や受信電子メールを送信したユーザ毎等に分類して、対応するフォルダ内に記憶させておくことが可能となっている。このため、ユーザは、「フォルダ指定」を行う場合、プルダウンメニューに基づいて、受信電子メールが分類され記憶されている各フォルダの中から所望のフォルダを指定操作し、或いは全てのフォルダに記憶された受信電子メールを表示して良い場合にはフォルダの全指定を行う。この指定操作がなされると、制御部１２は、ユーザにより指定されたフォルダ内に記憶されている受信電子メールのみを、ライフタイムカレンダー上に表示する。
【０１０３】
また、ユーザは、「メールアドレス指定」を行う場合、受信電子メールの差出人となるユーザの電子メールアドレスを指定操作する。電子メールアドレスの指定は、電話帳、送信ランキング（送信回数の多いユーザを順に示すランキング）、受信ランキング（受信回数の多いユーザを順に示すランキング）の中から所望のユーザ（＝所望の電子メールアドレス）を指定することで行う。また、この電子メールアドレスの指定は、ユーザが、操作部６を操作して直接的に入力することでも可能となっている。この電子メールアドレスの指定操作がなされると、制御部１２は、ユーザにより指定された電子メールアドレスを有する受信電子メールコンテンツのみを、ライフタイムカレンダー上に表示する。
【０１０４】
また、この実施の形態の携帯電話機の場合、受信電子メールのうち、所望の受信電子メールの誤消去を防止する保護設定が可能となっている。そして、当該携帯電話機内に記憶されている全受信電子メールのうち、この保護設定されている受信電子メールのみを、ライフタイムカレンダー上に表示する受信電子メールコンテンツとして指定可能となっている。
【０１０５】
すなわち、「保護指定」の選択欄としては、「全て表示」及び「保護メールのみ」の選択メニューが存在する。ユーザは、当該携帯電話機内に記憶されている全受信電子メールを表示してよい場合には、この「全て表示」の選択メニューを選択する。この選択がなされている場合、受信電子メールに対して保護設定がなされているか否かにかかわらず、該受信電子メールコンテンツをライフタイムカレンダー上に表示する。また、ユーザは、当該携帯電話機内に記憶されている全受信電子メールコンテンツのうち、保護設定している受信電子メールのみを表示する場合には、上記「保護メールのみ」の選択メニューを選択する。この選択がなされている場合、制御部１２は、保護設定がなされている受信電子メールコンテンツのみをライフタイムカレンダー上に表示する。
【０１０６】
当該実施の形態の携帯電話機は、このようにライフタイムカレンダー上に表示する受信電子メールコンテンツを、記憶されているフォルダや保護設定の有無等の表示条件で指定可能となっている。そして、制御部１２は、ユーザにより複数の表示条件が設定された場合、全ての表示条件を満足させる受信電子メールコンテンツのみをライフタイムカレンダー上に表示するようになっている。
【０１０７】
次に、「送信電子メールコンテンツ」の設定メニューは、ライフタイムカレンダー上に対する送信電子メールの表示の有無や、表示する送信電子メールが記憶されているフォルダ、電子メールアドレス、及び種類の設定を行うための設定メニューとなっている。
【０１０８】
ユーザは、ライフタイムカレンダー上に表示する送信電子メールを制限しない場合、「全表示／指定表示／非表示」のプルダウンメニューの中から「全表示」を選択操作する。この「全表示」が選択されている場合、制御部１２は、当該携帯電話機内に記憶されている全ての送信電子メールの中からライフタイムカレンダー上に表示する送信電子メールを選択して表示を行う。
【０１０９】
これに対して、ユーザは、上記送信電子メールコンテンツをライフタイムカレンダー上に表示しない場合、上記「全表示／指定表示／非表示」のプルダウンメニューの中から「非表示」を選択操作する。この「非表示」が選択されている場合、制御部１２は、当該携帯電話機内に記憶されている全ての送信電子メールコンテンツを、ライフタイムカレンダーに対する表示対象から除外する。従って、この「非表示」が選択されている場合は、ライフタイムカレンダー上に送信電子メールコンテンツの表示は行われないこととなる。
【０１１０】
これに対して、ライフタイムカレンダー上に表示する送信電子メールコンテンツの指定を行う場合、ユーザは、「全表示／指定表示／非表示」のプルダウンメニューの中から「指定表示」を選択操作する。この「指定表示」が選択操作されると、制御部１２は、「フォルダ指定」、「メールアドレス指定」、「保護指定」の各選択欄を全輝度表示して、ユーザに対して、当該各選択欄がアクティブとなったことを示す。
【０１１１】
上述と同様に、メモリ１１内には、複数の送信電子メールフォルダを形成可能となっており、ユーザは、送信電子メールの送信日時や送信電子メールコンテンツの送信相手となる各ユーザ毎等に分類して、対応するフォルダ内に記憶させておくことが可能となっている。このため、ユーザは、「フォルダ指定」を行う場合、送信電子メールコンテンツが分類されて記憶されている各フォルダの中から所望のフォルダを指定操作し、或いは全てのフォルダに記憶された送信電子メールコンテンツを表示して良い場合にはフォルダの全指定を行う。この指定操作がなされると、制御部１２は、ユーザにより指定されたフォルダ内に記憶されている送信電子メールのみを、ライフタイムカレンダー上に表示する。
【０１１２】
また、ユーザは、「メールアドレス指定」を行う場合、送信電子メールの宛先となるユーザの電子メールアドレスを指定操作する。電子メールアドレスの指定は、電話帳、送信ランキング（送信回数の多いユーザを順に示すランキング）、受信ランキング（受信回数の多いユーザを順に示すランキング）の中から所望のユーザ（＝所望の電子メールアドレス）を指定することで行う。
【０１１３】
また、この電子メールアドレスの指定は、ユーザが、操作部６を操作して直接的に入力することでも可能となっている。この電子メールアドレスの指定操作がなされると、制御部１２は、ユーザにより指定された電子メールアドレスを有する送信電子メールのみを、ライフタイムカレンダー上に表示する。
【０１１４】
また、この実施の形態の携帯電話機の場合、送信電子メールのうち、所望の送信電子メールの誤消去を防止する保護設定が可能となっている。そして、当該携帯電話機内に記憶されている全送信電子メールのうち、この保護設定されている送信電子メールのみを、ライフタイムカレンダー上に表示する送信電子メールとして指定可能となっている。
【０１１５】
すなわち、「保護指定」の選択欄としては、「全て表示」及び「保護メールのみ」の選択メニューが存在する。ユーザは、当該携帯電話機内に記憶されている全ての送信電子メールコンテンツを表示してよい場合には、上記「全て表示」の選択メニューを選択する。この選択がなされている場合、制御部１２は、送信電子メールコンテンツに対して保護設定がなされているか否かにかかわらず、該送信電子メールコンテンツをライフタイムカレンダー上に表示する。
【０１１６】
また、ユーザは、当該携帯電話機内に記憶されている全ての送信電子メールコンテンツのうち、保護設定している送信電子メールコンテンツのみを表示する場合には、上記「保護メールのみ」の選択メニューを選択する。この選択がなされている場合、制御部１２は、保護設定がなされている送信電子メールコンテンツのみをライフタイムカレンダー上に表示する。
【０１１７】
当該実施の形態の携帯電話機は、このようにライフタイムカレンダー上に表示する送信電子メールコンテンツを、記憶されているフォルダや保護設定の有無等の表示条件で指定可能となっている。そして、制御部１２は、ユーザにより複数の表示条件が設定された場合、全ての表示条件を満足させる送信電子メールコンテンツのみをライフタイムカレンダー上に表示するようになっている。
【０１１８】
次に、「スケジュールコンテンツ」の設定メニューは、ライフタイムカレンダー上に対するスケジュールの表示の有無や、表示するスケジュールの分類の設定を行うための設定メニューとなっている。
【０１１９】
ユーザは、ライフタイムカレンダー上に表示するスケジュールを全て表示してもよい場合、「全表示／指定表示／非表示」のプルダウンメニューの中から「全表示」を選択操作する。この「全表示」が選択されている場合、制御部１２は、当該携帯電話機のスケジュール帳に登録されている全てのスケジュールの中からライフタイムカレンダー上に表示するスケジュールを選択して表示を行う。
【０１２０】
これに対して、ユーザは、上記スケジュールをライフタイムカレンダー上に表示しない場合、上記「全表示／指定表示／非表示」のプルダウンメニューの中から「非表示」を選択操作する。この「非表示」が選択されている場合、制御部１２は、当該携帯電話機のスケジュール帳に登録されている全てのスケジュールを、ライフタイムカレンダーに対する表示対象から除外する。従って、この「非表示」が選択されている場合は、ライフタイムカレンダー上にスケジュールの表示は行われないこととなる。
【０１２１】
これに対して、ライフタイムカレンダー上に表示するスケジュールの分類を指定する場合、ユーザは、「全表示／指定表示／非表示」のプルダウンメニューの中から「指定表示」を選択操作する。この「指定表示」が選択操作されると、制御部１２は、「分類選択」の選択欄を全輝度表示して、ユーザに対して、当該各選択欄がアクティブとなったことを示す。
【０１２２】
当該携帯電話機の場合、スケジュール帳にスケジュールを登録する際、例えば会社、学校、食事会、ドライブ、スポーツ等の、そのスケジュールの分類を設定するようになっている。このため、ユーザは「分類選択」を行う場合、スケジュールの所望の分類を指定操作する。この指定操作がなされると、制御部１２は、スケジュール帳に登録されている全てのスケジュールのうち、ユーザにより指定された分類のスケジュールのみを、ライフタイムカレンダー上に表示する。
【０１２３】
次に、「誕生日コンテンツ」の設定メニューは、ライフタイムカレンダー上に誕生日コンテンツを表示するか否かを設定するための設定メニューとなっている。ユーザは、ライフタイムカレンダーに対して、電話帳に登録されている全てのユーザの誕生日コンテンツ、及び上記個人情報の登録欄に登録された誕生日コンテンツの表示を許可する場合、「全表示／非表示」のプルダウンメニューの中から「全表示」を選択操作する。この「全表示」が選択されている場合、制御部１２は、当該携帯電話機の電話帳に登録されている全てのユーザの誕生日コンテンツ、及び当該携帯電話機の所有者の情報である上記個人情報の登録欄に登録された誕生日コンテンツを、ライフタイムカレンダーの表示対象と認識して表示を行う。
【０１２４】
これに対して、ユーザは、上記誕生日コンテンツをライフタイムカレンダー上に表示しない場合、上記「全表示／非表示」のプルダウンメニューの中から「非表示」を選択操作する。この「非表示」が選択されている場合、制御部１２は、電話帳に登録されている全てのユーザの誕生日コンテンツ、及び上記個人情報の登録欄に登録された誕生日コンテンツを、ライフタイムカレンダーの表示対象から除外する。これにより、「非表示」が選択されている場合には、ライフタイムカレンダー上に誕生日コンテンツの表示は行われないこととなる。
【０１２５】
〔フィルタ設定〕
次に、制御部１２は、図４（ａ）に示す「フィルタ設定」の設定メニューにフォーカスを当てている際に、決定キー２５の押圧操作を検出すると、「ＯＮ／ＯＦＦ」のプルダウンメニューをアクティブとする。この「フィルタ設定」の設定メニューは、電話帳に登録されていない電子メールアドレスを有する受信電子メールを、ライフタイムカレンダー上に表示するか否かを設定するための設定メニューとなっている。
【０１２６】
ユーザは、電話帳に登録されていない電子メールアドレスを有する受信電子メールコンテンツをライフタイムカレンダー上に表示しない場合、上記「ＯＮ／ＯＦＦ」のプルダウンメニューの中から「ＯＦＦ」を選択操作する。この「ＯＦＦ」が選択されている場合、制御部１２は、電話帳に登録されていない電子メールアドレスを有する受信電子メールコンテンツを、ライフタイムカレンダーに対する表示対象から除外する。従って、この場合、電話帳に登録されていない電子メールアドレスを有する受信電子メールコンテンツは、ライフタイムカレンダー上に表示されないこととなる。
【０１２７】
これに対して、電話帳に登録されていない電子メールアドレスを有する受信電子メールコンテンツをライフタイムカレンダー上に表示してもよい場合、ユーザは、上記「ＯＮ／ＯＦＦ」のプルダウンメニューの中から「ＯＮ」を選択操作する。この「ＯＮ」が選択されている場合、制御部１２は、電話帳に対する電子メールアドレスの登録の有無にかかわらず、受信した受信電子メールコンテンツをライフタイムカレンダー上に表示する。
【０１２８】
なお、この「フィルタ設定」では、電話帳に登録されていない電子メールアドレスを有する受信電子メールコンテンツの表示の是非を設定することとしたが、同様に、電話帳に登録されていない電子メールアドレスに対して送信された送信電子メールコンテンツの表示の是非を設定可能としてもよい。
【０１２９】
〔想い出表示時間〕
次に、後に詳しく説明するが、この実施の形態の携帯電話機の場合、ライフタイムカレンダー上でフォーカスが当てられている日付の、例えば１年前の日付に対応する各種コンテンツを余領域にポップアップ表示する想い出ポップアップ機能を有している。この「想い出表示時間」の設定メニューは、このような想い出ポップアップ表示を行うか否か、及び想い出ポップアップ表示が行われるまでの時間を設定するための設定メニューとなっている。
【０１３０】
制御部１２は、図４（ａ）に示す「想い出表示時間」の設定メニューにフォーカスを当てている際に、決定キー２５の押圧操作を検出すると、「非表示／早い／普通／遅い」のプルダウンメニューをアクティブとする。ユーザは、想い出ポップアップ表示を行わない場合、このプルダウンメニューの中から「非表示」を選択操作して決定キー２５を押圧操作する。この「非表示」が選択操作されている場合、制御部１２は、ライフタイムカレンダー上に想い出ポップアップ表示を行わない。
【０１３１】
これに対して、「早い／普通／遅い」の各プルダウンメニューは、想い出ポップアップ表示が行われるまでの時間を設定するためのメニューとなっている。すなわち、この携帯電話機の場合、ライフタイムカレンダー上のいづれかの日付にフォーカスが所定時間以上当てられ続けていた場合（＝無操作時間が所定時間以上であった場合）、制御部１２が、そのフォーカスが当てられ続けている日付に対して過去となる日付に対応するコンテンツをポップアップ表示する想い出ポップアップ表示を行うようになっている。
【０１３２】
上記「早い／普通／遅い」の各プルダウンメニューは、この想い出ポップアップ表示が行われるまでの時間を設定するメニューとなっている。ユーザは、この「早い／普通／遅い」の各プルダウンメニューの中から所望のメニューを選択操作する。
【０１３３】
制御部１２は、上記「早い」のメニューが選択されている場合、ユーザの操作が停止してから例えば「５秒後」に想い出ポップアップ表示を行い、上記「普通」のメニューが選択されている場合、ユーザの操作が停止してから例えば「７．５秒後」に想い出ポップアップ表示を行い、上記「遅い」のメニューが選択されている場合、ユーザの操作が停止してから例えば「１０秒後」に想い出ポップアップ表示を行う。ユーザは、この「早い／普通／遅い」の各プルダウンメニューの中から所望のメニューを選択することで、ライフタイムカレンダーの表示時において、無操作状態となってから想い出ポップアップ表示が行われるまでの時間を、所望の時間に設定することができる。
【０１３４】
［ライフタイムカレンダーの表示動作］
次に、ライフタイムカレンダーの表示動作を説明する。なお、以下、理解を容易とするために、ライフタイムカレンダー上には、動画コンテンツ及び音楽コンテンツを除き、静止画像コンテンツ、スケジュールコンテンツ、誕生日コンテンツ、送信電子メールコンテンツ及び受信電子メールコンテンツの表示を行うこととして説明を進める。
【０１３５】
ライフタイムカレンダーを表示する場合、ユーザは、操作部６を介して、メインメニューからライフタイムカレンダーの起動を選択操作する。この選択操作がなされると、制御部１２は、メモリ１１に記憶されているライフタイムカレンダーアプリケーションプログラムに基づいて、デフォルト表示として、図５に示す「カレンダービュー」のライフタイムカレンダーを表示部５に表示制御する。
【０１３６】
〔カレンダービュー〕
図６のフローチャートに、制御部１２におけるカレンダービューのライフタイムカレンダーを表示するまでの表示制御動作の流れを示す。このフローチャートは、ユーザが操作部６を操作することで指定するライフタイムカレンダーの起動指定操作を、制御部１２が検出することで、メモリ１１に記憶されているライフタイムカレンダーアプリケーションプログラムに基づいてスタートさせる。
【０１３７】
ステップＳ１では、制御部１２が、タイマ１０で計時されている現在の年月日を示す時刻情報を取り込み、処理をステップＳ２に進める。ステップＳ２では、制御部１２が、図４（ａ）及び図４（ｂ）を用いて説明したメモリ１１に記憶されている表示設定及びフィルタ設定を読み込み、処理をステップＳ３へ進める。
【０１３８】
ステップＳ３では、制御部１２が、メモリ１１から読み込んだ表示設定及びフィルタ設定により、ライフタイムカレンダーに表示が許可されているコンテンツのうち、上記ステップＳ１においてタイマ１０から取り込んだ現在の年度及び月に対応するコンテンツをメモリ１１から検出する。
【０１３９】
具体的には、例えば上記表示設定及びフィルタ設定により、静止画像コンテンツ、スケジュールコンテンツ、誕生日コンテンツ、送信電子メールコンテンツ及び受信電子メールコンテンツの表示が許可されており、タイマ１０から取り込んだ現在の年月日が２００５年９月１３日であった場合、制御部１２は、２００５年９月の時刻情報或いは保存情報を有する静止画像コンテンツ、２００５年９月の受信時刻を有する受信電子メールコンテンツ、２００５年９月の送信時刻を有する送信電子メールコンテンツ、２００５年９月の開始時刻を有するスケジュールコンテンツ、及び２００５年９月を誕生月とするユーザの誕生日コンテンツをメモリ１１から検出する。
【０１４０】
同様に、例えば上記表示設定及びフィルタ設定により、静止画像コンテンツ、及び誕生日コンテンツのみの表示が許可されており、タイマ１０から取り込んだ現在の年月日が２００６年１０月１日であった場合、制御部１２は、２００６年１０月の時刻情報或いは保存情報を有する静止画像コンテンツ、及び１０月を誕生月とするユーザの誕生日コンテンツをメモリ１１から検出する。
【０１４１】
次に、制御部１２は、ステップＳ４において、カレンダービューのライフタイムカレンダーを表示部５に表示し、上記検出した各種コンテンツをこのカレンダービューのライフタイムカレンダー上に表示すると共に、ステップＳ５において、当日の表示領域（＝ライフタイムカレンダーを起動した日に相当する表示領域）を他の表示領域よりも拡大し、この拡大した表示領域にフォーカスを当てて、この図６に示すフローチャートの処理を終了する。
【０１４２】
このような図６のフローチャートの処理により表示されたカレンダービューのライフタイムカレンダーの表示例が図５である。この図５は、２００５年９月のカレンダービューのライフタイムカレンダーの表示例であり、フォーカスの当たっている日が２００５年９月１３日水曜日の表示例である。
【０１４３】
この図５からわかるように、制御部１２は、カレンダービューのライフタイムカレンダー上に、例えば「２００５  ０９／１３」等の、フォーカスの当たっている日付の表示欄に対応する年月日と、この年月日の横に、上述の表示設定及びフィルタ設定により、ユーザにより表示の許可がなされているコンテンツの種類を示す各種アイコンを表示する（＝現在の設定状態を示す各種アイコンを表示する。）。また、制御部１２は、表示領域の左端長手方向に沿って、現在表示している表示月を示す月インデックスを表示する。この例の場合、表示月が９月であるため、「０９」の数字が表示された月インデックスが表示されている。また、制御部１２は、当日の日付の表示欄は、他の日付と異なる表示色で表示することで、ユーザに対して当日を認識し易くしている。
【０１４４】
図５に示す上記設定状態を示す各種アイコン（＝年月日に隣接して表示された各種アイコン）のうち、蝋燭の立てられたケーキのアイコンは誕生日コンテンツのアイコン、カレンダーと鉛筆の画像はスケジュールコンテンツのアイコン、封書に上方向の矢印の画像は送信電子メールコンテンツのアイコン、封書に下方向の矢印の画像は受信電子メールコンテンツのアイコン、長方形状の右上端部が内側に折り曲げられた画像は静止画像コンテンツのアイコンとなっている。制御部１２は、これら各種アイコンのうち、ユーザによりその表示が許可されているコンテンツのアイコンはカラー表示し、ユーザによりその表示が許可されていないコンテンツのアイコンは、灰色の画像としてグレー表示（或いは半輝度表示）する。このような表示の違いにより、ユーザは、ライフタイムカレンダー上に表示を許可しているコンテンツの種類を一目で認識可能となっている。
【０１４５】
また、制御部１２は、このカレンダービューのライフタイムカレンダー上の各日付の表示欄に、上記ステップＳ３で検出したコンテンツのアイコン及び（又は）静止画像コンテンツのサムネイル画像を表示する。
【０１４６】
また、制御部１２は、同じ日付の表示欄に表示する静止画像コンテンツが複数存在する場合、乱数を用いて複数の静止画像コンテンツの中から１枚の静止画像コンテンツを選出し、この選出した静止画像コンテンツのサムネイル画像を、対応する日付の表示欄に表示する。なお、この選出して表示したサムネイル画像は、後述する「レーティング機能」により、所定のタイミングで更新されるようになっている。
【０１４７】
また、制御部１２は、この場合のフォーカスを当てている日付となる２００５年９月１３日水曜日の表示欄は、他の日付の表示欄よりも拡大し、この拡大した表示欄に上記各コンテンツのアイコン及び（又は）静止画像コンテンツのサムネイル画像を表示する。
【０１４８】
この図５に示す例では、９月１日金曜日の表示欄に封書のアイコンのみを表示することで、この９月１日金曜日には、送信電子メールコンテンツ或いは受信電子メールコンテンツが存在することを示している。また、９月３日日曜日の表示欄に封書のアイコン及び誕生日コンテンツのアイコンを表示することで、この９月３日日曜日には、送信電子メールコンテンツ或いは受信電子メールコンテンツが存在し、また、いずれかのユーザ或いは当該携帯電話機のユーザ（＝自分）の誕生日であることを示している。また、９月４日月曜日の表示欄には、封書のアイコン、スケジュールコンテンツのアイコン、及び静止画像コンテンツのサムネイル画像を表示することで、この９月４日月曜日には、送信電子メールコンテンツ或いは受信電子メールコンテンツ、スケジュールコンテンツ及び静止画像コンテンツが存在することを示している。
【０１４９】
また、この例の場合のフォーカスを当てている日付となる９月１３日水曜日の表示欄は、他の日付の表示欄よりも拡大表示され、この拡大表示された表示欄に、封書のアイコン、スケジュールコンテンツのアイコン、誕生日コンテンツのアイコン及び静止画像コンテンツのサムネイル画像を表示することで、この９月１３日水曜日には、送信電子メールコンテンツ或いは受信電子メールコンテンツ、スケジュールコンテンツが存在し、また、いずれかのユーザ或いは当該携帯電話機のユーザ（＝自分）の誕生日であることを示している。
【０１５０】
また、制御部１２は、拡大表示した表示欄に静止画像コンテンツのサムネイル画像を表示する場合、他の日付の表示欄に表示するサムネイル画像よりも拡大して表示する。これにより、ユーザは、フォーカスを当てた日付に対応する静止画像コンテンツを容易に認識することができる。なお、制御部１２は、このサムネイル画像以外の各アイコンは、拡大した表示欄及び他の日付の表示欄共、同じ大きさで表示する。
【０１５１】
このように、カレンダービューのライフタイムカレンダーの表示時には、制御部１２は、各日付の表示欄に、各コンテンツのアイコン及び（又は）静止画像コンテンツのサムネイル画像を表示する。これにより、ユーザは、ライフタイムカレンダー上に表示されたアイコンやサムネイル画像により、各日付に対応するコンテンツの存在を一目で認識することができる。
【０１５２】
なお、このようなカレンダービューのライフタイムカレンダーにおいて、コンテンツが存在しない場合には、表示を行うアイコンやサムネイル画像が存在しないため、コンテンツが存在しない日付の表示欄は、必然的に空白の表示欄となる。図５に示す例では、９月９日土曜日が、コンテンツが存在しない日付となる。ユーザは、空白となっている日付の表示欄を見ることで、その日付に対応するコンテンツが存在しないことを、一目で認識することができる。
【０１５３】
また、電子メールコンテンツとしては、上述のように受信電子メールコンテンツ及び送信電子メールコンテンツが存在するのであるが、このカレンダービューのライフタイムカレンダーの表示時においては、受信電子メールコンテンツ及び送信電子メールコンテンツのいずれかが存在した場合、制御部１２は、封書の画像のアイコンを表示することで、受信電子メールコンテンツ及び（又は）送信電子メールコンテンツが存在することを示すようになっている。
【０１５４】
換言すれば、制御部１２は、このカレンダービューのライフタイムカレンダーの表示時においては、封書の画像のアイコンを表示することで、受信電子メールコンテンツ及び（又は）送信電子メールコンテンツの存在を簡略化して示すようになっている。なお、後に説明するデイビューのライフタイムカレンダーの表示時には、上述の封書に上方向の矢印の画像のアイコンを表示することで送信電子メールコンテンツの存在を示し、また封書に下方向の矢印の画像のアイコンを表示することで受信電子メールコンテンツの存在を示すようになっている。
【０１５５】
すなわち、このカレンダービューのライフタイムカレンダーの表示時においては、各日付の表示欄が狭いため、受信電子メールコンテンツ及び（又は）送信電子メールコンテンツの存在を、封書の画像のアイコンで一括して表示し、後述するデイビューのライフタイムカレンダーの表示時に、各日付の表示欄が広くなった際に、受信電子メールコンテンツ及び送信電子メールコンテンツを分けて表示するようになっている。
【０１５６】
〔フォーカスの移動操作〕
次に、ユーザは、操作部６を操作することで、ライフタイムカレンダー上の所望の日付の表示欄にフォーカスを移動操作可能となっている。すなわち、図５に示す例の場合、制御部１２は、デフォルトとして、この例の場合の当日となる９月１３日にフォーカスを当てている。この状態で操作部６の十字キー２４を右操作すると、制御部１２は、１３日→１４日→１５日→１６日→１７日・・・の順にフォーカスを移動表示制御する。また、９月１３日にフォーカスを当てている状態で、ユーザにより操作部６の十字キー２４が左操作されると、制御部１２は、１３日→１２日→１１日→１０日→９日・・・の順にフォーカスを移動表示制御する。また、９月１３日にフォーカスを当てている状態で、ユーザにより操作部６の十字キー２４が上操作されると、制御部１２は、１３日→６日→８月３０日・・・の順にフォーカスを移動表示制御する。また、９月１３日にフォーカスを当てている状態で、ユーザにより操作部６の十字キー２４が下操作されると、制御部１２は、１３日→２０日→２７日→１０月４日・・・の順にフォーカスを移動表示制御する。
【０１５７】
制御部１２は、十字キー２４が押圧操作される毎に、このようなフォーカスの移動表示制御を間欠的に行う。また、制御部１２は、十字キー２４が押圧し続けられた場合（いわゆる長押しされた場合）、この長押しの間、上述のフォーカスの移動表示制御を連続的に行う。そして、制御部１２は、このようなフォーカスの移動表示制御により、表示部５に表示することとなった日付に対応するコンテンツをメモリ１１から順次検出して、上記アイコンやサムネイル画像の表示を行う。これにより、各月のライフタイムカレンダーが、フォーカスの移動操作に応じてスクロールされるかたち表示部５に表示されることとなる。
【０１５８】
（月単位、或いは年単位での表示画面の切り替え）
ここで、ユーザは、上述のように十字キー２４等を操作することで、カレンダービューのライフタイムカレンダー上に表示されるフォーカスを各日付単位で移動させることが可能なのであるが、ライフタイムカレンダー上に表示するコンテンツを月単位や年単位で大きく切り替えたい場合がある。
【０１５９】
この場合、ユーザは、図２に示す第２のソフトキー２７を押圧操作する。制御部１２は、カレンダービューのライフタイムカレンダーを表示部５に表示している際に、この第２のソフトキー２７の押圧操作を検出すると、図７に示すカレンダービューのインデックス画面となるライフタイムカレンダーを表示部５に表示制御する。
【０１６０】
図５及び図７を見比べてわかるように、制御部１２は、この第２のソフトキー２７の押圧操作を検出すると、カレンダービューのライフタイムカレンダーの左端の長手方向に沿って各月の「月インデックス」を表示すると共に、この月インデックスの左端に沿って、現在、表示部５に表示している月が属する年度を示す「年インデックス」を表示する。
【０１６１】
また、制御部１２は、第２のソフトキー２７が押圧操作された時点でフォーカスを当てていた日付が属する上記月インデックス上の月の表示欄にフォーカスを当てる。図７は、第２のソフトキー２７が押圧操作された時点で、２００５年９月のいずれかの日にフォーカスが当てられていた場合の表示例である。この場合、制御部１２は、月インデックス上の９月の表示欄にフォーカスを当てることとなる。
【０１６２】
月インデックス上においてはフォーカスを月単位で、また、年インデックス上においてはフォーカスを年単位で移動操作可能となっている。すなわち、ユーザは、月単位でフォーカスを移動操作する場合、上記月インデックスのいずれかの月の表示欄にフォーカスが当たっている状態で、上記十字キー２４を上操作或いは下操作する。図７に示すように９月にフォーカスが当たっている状態で、上記十字キー２４の上操作を検出すると、制御部１２は、９月→８月→７月→６月・・・の順にフォーカスを移動表示制御する。また、上記９月にフォーカスが当たっている状態で、上記十字キー２４の下操作を検出すると、制御部１２は、９月→１０月→１１月→１２月・・・の順にフォーカスを移動表示制御する。
【０１６３】
また、制御部１２は、このようにフォーカスを当てる月を月インデックス上で移動表示制御した際に、フォーカスを移動した月に対応するコンテンツをメモリ１１から検出し、このコンテンツに対応する上記アイコンやサムネイル画像を、上記フォーカスを移動した月のカレンダービューのライフタイムカレンダー上に表示する。これにより、カレンダービューのライフタイムカレンダー上に表示されるアイコンやサムネイル画像が、月単位で切り替わって表示されることとなる。
【０１６４】
なお、この例では、制御部１２は、月インデックス上におけるフォーカスの移動操作と共に、カレンダービューのライフタイムカレンダー上に表示するコンテンツを月単位で切り替えることとしたが、これは、月インデックス上でフォーカスの移動操作が行われている間は、カレンダービューのライフタイムカレンダー上のコンテンツの表示切り替えは行わず、決定キー２５が押圧操作されるのを待って、この決定キー２５が押圧操作された際に月インデックス上でフォーカスを当てていた月に対応するコンテンツを、カレンダービューのライフタイムカレンダー上に表示するようにしてもよい。
【０１６５】
すなわち、この場合、ユーザは、月インデックス上で所望の月にフォーカスを移動操作し（この間、コンテンツの表示切り替えは行われない。）、所望の月にフォーカスを移動させた際に決定キー２５を押圧操作する。これにより、制御部１２は、現在、フォーカスを当てている月のコンテンツの表示が、ユーザから指定されたものと認識し、当該フォーカスを当てている月に対応するコンテンツをメモリ１１から検出し、表示画面を図７に示すカレンダービューのインデックス画面から図５に示すカレンダービューの通常画面に戻して、上記コンテンツに対応するアイコンやサムネイル画像をカレンダービューのライフタイムカレンダー上に表示することとなる。この場合、決定キー２５の押圧操作を待ってカレンダービューのライフタイムカレンダー上にコンテンツの表示を行うため、フォーカスの移動操作毎にコンテンツの表示切り替えを行わなくてよい分、制御部１２の負担を軽減することができる。
【０１６６】
また、この場合、月インデックス上のいずれかの月にフォーカスを当てている間は、各日付の表示欄（コンテンツに対応するアイコンやサムネイル画像の表示欄）を、例えば半輝度で表示する等の表示形態を変更する表示制御を行えば、月インデックスがアクティブとなっていることを、ユーザに対して容易に認識させることができる。
【０１６７】
次に、ユーザは、年単位でフォーカスを移動操作する場合、上記月インデックス上のいずれかの月の表示欄にフォーカスが当てられている状態で、十字キー２４を左操作する。制御部１２は、上記月インデックス上のいずれかの月の表示欄にフォーカスを当てている状態で十字キー２４の左操作を検出すると、フォーカスを当てていた月が属する上記年インデックス上の年度の表示欄にフォーカスを当てる。これにより、年単位での表示画面の切り替えが可能となる。
【０１６８】
すなわち、制御部１２は、上記年インデックス上にフォーカスが当てられている状態で、十字キー２４の上操作を検出すると、図７に示す例の場合、２００５年→２００４年→２００３年・・・の順に、年インデックス上のフォーカスを移動表示制御する。同様に、上記年インデックス上にフォーカスが当てられている状態で、十字キー２４の下操作を検出すると、２００５年→２００６年→２００７年・・・の順に、年インデックス上のフォーカスを移動表示制御する。
【０１６９】
また、制御部１２は、このようにフォーカスを年単位で移動表示制御した際、フォーカスを移動した年における、月インデックスから年インデックスにフォーカスを移動する直前に、月インデックス上でフォーカスを当てていた月に対応する各種コンテンツをメモリ１１から検出し、この検出したコンテンツのアイコンやサムネイル画像を、カレンダービューのライフタイムカレンダー上に表示制御する。
【０１７０】
具体的には、例えば月インデックス上で９月にフォーカスが当たっている状態で、年インデックス上の２００５年の表示欄にフォーカスが移動操作された場合、制御部１２は、２００５年９月に対応する各種コンテンツをメモリ１１から検出し、この検出したコンテンツのアイコンやサムネイル画像を、カレンダービューのライフタイムカレンダー上に表示制御する。
【０１７１】
同様に、例えば、月インデックス上で７月にフォーカスが当たっている状態で、年インデックス上の２００４年の表示欄にフォーカスが移動操作された場合、制御部１２は、２００４年７月に対応する各種コンテンツをメモリ１１から検出し、この検出したコンテンツのアイコンやサムネイル画像を、カレンダービューのライフタイムカレンダー上に表示制御する。また、この２００４年の表示欄に移動操作されたフォーカスが、年インデックス上の２００３年の表示欄に移動操作された場合、制御部１２は、２００３年７月に対応する各種コンテンツをメモリ１１から検出し、この検出したコンテンツのアイコンやサムネイル画像を、カレンダービューのライフタイムカレンダー上に表示制御する。これにより、カレンダービューのライフタイムカレンダー上に表示されるアイコンやサムネイル画像が、年単位で切り替わって表示されることとなる。
【０１７２】
なお、この例では、制御部１２は、年インデックス上におけるフォーカスの移動操作と共に、カレンダービューのライフタイムカレンダー上に表示するコンテンツを切り替えることとしたが、これは、年インデックス上でフォーカスの移動操作が行われている間は、カレンダービューのライフタイムカレンダー上のコンテンツの表示切り替えは行わず、以下のようにしてもよい。
【０１７３】
すなわち、制御部１２は、年インデックス上のいずれかの年度にフォーカスを当てている際に決定キー２５の押圧操作を検出したタイミングで上記月インデックス上にフォーカスを移動表示制御し、この月インデックス上のいずれかの月にフォーカスを当てている際に決定キー２５の押圧操作を検出したタイミングで、年インデックス上及び月インデックス上でそれぞれ決定キー２５の押圧操作を検出した際にフォーカスを当てていた年度及び月に対応するコンテンツを、カレンダービューのライフタイムカレンダー上に表示する。
【０１７４】
換言すると、この場合、ユーザは、年インデックス上で所望の年にフォーカスを移動操作して決定キー２５を押圧操作すると共に（この間、コンテンツの表示切り替えは行われない。）、月インデックス上で所望の月にフォーカスを移動操作して決定キー２５を押圧操作する（この間も、コンテンツの表示切り替えは行われない。）。
【０１７５】
これにより、制御部１２は、上記決定キー２５の押圧操作を検出した際にフォーカスを当てていた年度及び月のコンテンツの表示が、ユーザから指定されたものと認識し、当該フォーカスを当てていた年度及び月に対応するコンテンツをメモリ１１から検出し、表示画面を図７に示すカレンダービューのインデックス画面から図５に示すカレンダービューの通常画面に戻して、上記コンテンツに対応するアイコンやサムネイル画像をカレンダービューのライフタイムカレンダー上に表示することとなる。この場合、決定キー２５の押圧操作を待ってカレンダービューのライフタイムカレンダー上にコンテンツの表示を行うため、フォーカスの移動操作毎にコンテンツの表示切り替えを行わなくてよい分、制御部１２の負担を軽減することができる。
【０１７６】
また、この場合、年インデックス上、及び月インデックス上にフォーカスを当てている間は、各日付の表示欄（コンテンツに対応するアイコンやサムネイル画像の表示欄）を、例えば半輝度で表示する等の表示形態を変更する表示制御を行えば、年インデックス或いは月インデックスがアクティブとなっていることを、ユーザに対して容易に認識させることができる。
【０１７７】
〔ライフタイムカレンダーを待ち受け画面とする場合〕
次に、当該実施の形態の携帯電話機の場合、このカレンダービューのライフタイムカレンダーを待ち受け画面として設定可能となっている。すなわち、ユーザにより操作部６を介してライフタイムカレンダーを待ち受け画面とする設定操作がなされると、制御部１２は、待ち受け画面を表示部５に表示する際に、図６を用いて説明したようにタイマ１０から取り込んだ現在の年月日に対応するコンテンツのうち、上記表示設定及びフィルタ設定に対応するコンテンツをメモリ１１から検出する。そして、制御部１２は、現在の年度及び月に対応するカレンダービューのライフタイムカレンダー上に、上記メモリ１１から検出した各コンテンツのアイコン及び（又は）静止画像コンテンツのサムネイル画像を表示すると共に、当日の日付の表示欄にフォーカスを当てる。
【０１７８】
図８に、待ち受け画面として表示されたカレンダービューのライフタイムカレンダーの表示例を示す。この図８は、タイマ１０から取り込まれた現在の年月日が２００４年９月１３日であり、これに対応して制御部１２が、２００４年９月のカレンダービューのライフタイムカレンダーを待ち受け画面として表示部５に表示した例を示している。この図８から、この例の場合の当日となる１３日の表示欄にフォーカスが当てられていることがわかるであろう。
【０１７９】
なお、ユーザにより所望の待ち受け画像が予め設定されている場合、制御部１２は、その待ち受け画像を半輝度表示とし、この上に上記カレンダービューのライフタイムカレンダーを重ねて表示する。これにより、表示部５に表示される全体的な待ち受け画面としては、上記カレンダービューのライフタイムカレンダーの下に待ち受け画像が透けて見えるかたちの待ち受け画面となる。
【０１８０】
〔レーティング機能に基づくサムネイル画像の更新〕
次に、上述の待ち受け画面として設定されたカレンダービューのライフタイムカレンダーを含め、カレンダービューのライフタイムカレンダー上に表示されたサムネイル画像は、所定の時間置きに新たなサムネイル画像に更新されるようになっている。
【０１８１】
すなわち、制御部１２は、上述のように同じ日付の表示欄に表示する静止画像コンテンツが複数存在する場合、乱数を用いて複数の静止画像コンテンツの中から１枚の静止画像コンテンツを選出して上記日付の表示欄に表示するのであるが、制御部１２は、この表示した静止画像コンテンツのサムネイル画像を、「レーティング機能」に基づいて、所定のタイミングで他の静止画像コンテンツのサムネイル画像に更新するようになっている。
【０１８２】
（各日付の表示欄に表示するサムネイル画像の定期的な更新動作）
まず、制御部１２は、ユーザによりライフタイムカレンダーアプリケーションプログラムが起動操作されることで、カレンダービューのライフタイムカレンダー上に表示したサムネイル画像（図５参照）、及び待ち受け画面として設定されたライフタイムカレンダー上に表示したサムネイル画像（図８参照）を定期的に更新するようになっている。図９のフローチャートにこのサムネイル画像の定期更新動作の流れを示す。
【０１８３】
制御部１２は、当該携帯電話機のメイン電源の投入の有無にかかわらず、終始、ライフタイムカレンダーアプリケーションプログラムに基づいて、この図９のフローチャートに示す処理を実行している。
【０１８４】
一例ではあるが、この実施の形態の携帯電話機の場合、上記サムネイル画像の更新を午前０時及び午後１２時の計２回行うようになっている。このため、制御部１２は、ステップＳ１１において、タイマ１０でカウントされる現在時刻を監視し、現在時刻が上記サムネイル画像の更新時刻である上記午前０時或いは午後１２時となったことを検出したタイミングで、処理をステップＳ１２に進める。
【０１８５】
ステップＳ１２では、制御部１２が、現在、ライフタイムカレンダーの起動中であるか否かを判別し、ライフタイムカレンダーの起動中である場合は処理をステップＳ１６に進め、ライフタイムカレンダーの起動中ではない場合は処理をステップＳ１３に進める。
【０１８６】
ステップＳ１６では、現在、ライフタイムカレンダーの起動中であるため、制御部１２は、ライフタイムカレンダーの表示終了を待って、処理をステップＳ１３に進める。すなわち、この例の場合、制御部１２は、ライフタイムカレンダーの起動中は、サムネイル画像の更新は行わないようになっている。なお、ライフタイムカレンダーの起動中であっても、サムネイル画像の更新は行ってもよいことは勿論である。
【０１８７】
次に、上記ステップＳ１２においてライフタイムカレンダーの起動中ではないと判別することで、或いは上記ステップＳ１６においてライフタイムカレンダーの表示終了を検出することで処理をステップＳ１３に進めると、制御部１２は、ライフタイムカレンダーが待ち受け画面に設定されているか否か（図８参照）を判別する。そして、制御部１２は、ライフタイムカレンダーが待ち受け画面に設定されている場合は処理をステップＳ１７に進め、ライフタイムカレンダーが待ち受け画面に設定されていない場合は処理をステップＳ１４に進める。
【０１８８】
ライフタイムカレンダーが待ち受け画面に設定されている場合に処理をステップＳ１７に進めると、制御部１２は、現在、待ち受け画面のライフタイムカレンダー上にサムネイル画像を表示している日付のうち、複数の静止画像コンテンツが存在する全ての日付を検出する。そして、この検出した各日付毎に、現在表示している静止画像コンテンツ以外の静止画像コンテンツの中から、乱数を用いてランダムに１枚の静止画像コンテンツを検出し、この静止画像コンテンツのサムネイル画像を形成して、対応する日付の表示欄にそれぞれ表示する。
【０１８９】
これにより、待ち受け画面に設定されているカレンダービューのライフタイムカレンダー上に表示された各サムネイル画像が、午前０時及び午後１２時のタイミングで更新されることとなる。
【０１９０】
次に、ライフタイムカレンダーが待ち受け画面に設定されていない場合に処理をステップＳ１４に進めると、制御部１２は、ユーザによるライフタイムカレンダーの起動操作待ちの状態となる。
【０１９１】
制御部１２は、このステップＳ１４でライフタイムカレンダーの起動操作を検出すると処理をステップＳ１５に進め、図６のフローチャートを用いて説明したようにカレンダービューのライフタイムカレンダーを表示部５に表示する。そして、複数の静止画像コンテンツが存在する各日付毎に、この起動操作がなされる前に表示していた静止画像コンテンツ以外の静止画像コンテンツの中から、乱数を用いてランダムに１枚の静止画像コンテンツを検出し、この静止画像コンテンツのサムネイル画像を形成して、対応する日付の表示欄にそれぞれ表示する。
【０１９２】
これにより、午前０時或いは午後１２時を跨いでライフタイムカレンダーを起動した場合に、この起動前後で異なるサムネイル画像が、カレンダービューのライフタイムカレンダー上に表示されることとなる。
【０１９３】
（フォーカスが停止している場合におけるサムネイル画像の更新動作）
次に、制御部１２は、カレンダービューのライフタイムカレンダー上のいずれかの日付の表示欄にフォーカスが停止しており、このフォーカスが停止している日付に対応する静止画像コンテンツが複数存在する場合、このフォーカスが停止している日付の表示欄に表示するサムネイル画像を所定時間置きに更新する。図１０のフローチャートに、このサムネイル画像の更新動作の流れを示す。この図１０のフローチャートは、制御部１２が、カレンダービューのライフタイムカレンダーを表示部５に表示したタイミングで、メモリ１１に記憶されているライフタイムカレンダーアプリケーションプログラムに基づいてスタートさせる。
【０１９４】
ステップＳ２１では、制御部１２が、操作部６の操作状態を監視することで、フォーカスの移動操作がなされたか否かを判別する。すなわち、制御部１２は、カレンダービューのライフタイムカレンダーを表示した際、デフォルトとして、当日の表示欄（図５の例の場合９月１３日の表示欄）にフォーカスを当てるのであるが、上述のようにこのフォーカスは、図２（ａ）の十字キー２４を操作することで上下左右に移動操作可能となっている。このため、ステップＳ２１では、制御部１２が、この十字キー２４の操作状態を監視することで、フォーカスの移動操作がなされたか否かを判別し、フォーカスの移動操作を検出しない場合には処理をステップＳ２２に進め、フォーカスの移動操作を検出した場合は処理をステップＳ２５に進める。
【０１９５】
ステップＳ２５では、制御部１２が、ユーザによる十字キー２４の移動操作に応じて、表示部５に表示しているフォーカスを移動表示制御し、このフォーカスの移動先となる日付の表示欄を、上述のように他の日付の表示欄よりも拡大して表示し、この拡大表示した日付の表示欄に、対応するコンテンツのアイコンやサムネイル画像を表示制御して、処理をステップＳ２１に戻す。
【０１９６】
一方、フォーカスの移動操作を検出しないことで処理をステップＳ２２に進めると、制御部１２は、タイマ１０で計時される時刻情報に基づいて、フォーカスの移動操作が検出されなくなってから、例えば３秒が経過したか否かを判別する。すなわち、このステップＳ２２では、制御部１２がフォーカスの連続停止時間を監視しており、フォーカスが停止状態となってから３秒が経過していない場合は処理をステップＳ２１に戻し、フォーカスが停止状態となってから３秒が経過したタイミングで処理をステップＳ２３に進める。
【０１９７】
ステップＳ２３では、制御部１２が、フォーカスが停止している日付に対応する静止画像コンテンツをメモリ１１から検出することで、このフォーカスが停止している日付に対応する静止画像コンテンツが複数枚存在するか否かを判別する。そして、複数枚の静止画像コンテンツが存在しない場合は処理をステップＳ２１に戻し、複数枚の静止画像コンテンツが存在する場合は処理をステップＳ２４に進める。
【０１９８】
ステップＳ２４では、制御部１２が、フォーカスが停止している日付に対応する複数枚の静止画像コンテンツのうち、現在、表示している静止画像コンテンツ以外の静止画像コンテンツを、乱数を用いてランダムに選出し、この選出した静止画像コンテンツのサムネイル画像を形成する。そして、フォーカスが停止している日付の表示欄に表示しているサムネイル画像を、この新たに形成したサムネイル画像に更新表示して、処理をステップＳ２１に戻す。
【０１９９】
これにより、複数の静止画像コンテンツが存在する日付の表示欄にフォーカスを停止し続けた場合、上記３秒置きに、サムネイル画像が更新表示されることとなる。従って、ユーザは、所望の日付の表示欄にフォーカスを移動操作して停止させておくだけで、上記３秒置きに更新表示されるサムネイル画像により、その日付に対応する静止画像コンテンツを確認することができる。
【０２００】
なお、この例の場合、フォーカスが３秒間、同じ日付の表示欄に停止し続けた場合に、サムネイル画像の更新処理を行うこととしたが、この「３秒」という時間は一例であり、例えば同じ日付の表示欄にフォーカスが５秒間停止し続けた場合にサムネイル画像の更新処理を行い、或いは同じ日付の表示欄にフォーカスが１０秒間停止し続けた場合にサムネイル画像の更新処理を行う等のように、設計等に応じて変更してもよい。また、設定メニューで、ユーザが所望の時間を選択設定するようにしてもよい。
【０２０１】
〔デイビュー〕
次に、このようなカレンダービューのライフタイムカレンダーにおいては、ユーザは、各日付の表示欄に表示されたアイコンやサムネイル画像により、当該各日付に対応する各種コンテンツの「存在」を認識することができるのであるが、さらに各日付に対応する各種コンテンツの「内容」を確認したい場合、ユーザは、以下に説明するデイビューのライフタイムカレンダーを表示させる。このデイビューのライフタイムカレンダー上では、各日付に対応するコンテンツの表題等が表示されるため、ユーザは、このデイビューのライフタイムカレンダーを表示することで、所望のコンテンツの大まかな「内容」を確認することができる。
【０２０２】
また、ユーザは、所望のコンテンツの詳細な「内容」を確認したい場合、このデイビューのライフタイムカレンダー上で所望のコンテンツを選択操作する。これにより、ユーザにより選択されたコンテンツに対応する専用のアプリケーションプログラムが起動し、該ユーザにより選択されたコンテンツに対応する表示や再生等の処理がなされ、当該コンテンツの詳細な「内容」が確認可能となっている。
【０２０３】
図１１のフローチャートに、デイビューのライフタイムカレンダーの表示から、このデイビューのライフタイムカレンダー上で選択されたコンテンツが、当該コンテンツに対応する専用のアプリケーションプログラムで処理されるまでの流れを示す。このフローチャートは、上述のカレンダービューのライフタイムカレンダーの表示時に、制御部１２が、決定キー２５の押圧操作を検出することで、メモリ１１に記憶されているライフタイムカレンダーアプリケーションプログラムに基づいてスタートとなる。
【０２０４】
まず、ステップＳ３１では、制御部１２が、決定キー２５の押圧操作を検出した際に、カレンダービューのライフタイムカレンダー上でフォーカスを当てていた日付を基準とするデイビューのライフタイムカレンダーを表示部５に表示制御する。また、制御部１２は、複数のコンテンツが存在する日付の場合、この複数のコンテンツを予め定められた優先順位の順に、表示部５の長手方向に沿って、各日付の表示欄の上段から下段にかけて並べて表示する。そして、カレンダービューのライフタイムカレンダー上でフォーカスを当てていた日付に対応するコンテンツのうち、最上段に位置するコンテンツ（＝最も優先順位の高いコンテンツ）に対してデフォルトでフォーカスを当てる。図１２に、このデイビューのライフタイムカレンダーの表示例を示す。
【０２０５】
このデイビューのライフタイムカレンダーとしては、この図１２に示す「リスト表示画面」と、図１３に示す「サムネイル表示画面」とが存在する。制御部１２は、カレンダービューからデイビューにライフタイムカレンダーの表示切り替えを行う場合、デフォルトとして図１２に示す「リスト表示画面」を表示するようになっている。
【０２０６】
この図１２は、カレンダービューのライフタイムカレンダー上でフォーカスが当たっていた日付である２００５年９月１３日を基準とするデイビューのライフタイムカレンダーのリスト表示画面である。この図１２に示すように、制御部１２は、デイビューのライフタイムカレンダー上に、例えば「２００５  ０９／１３」等の当日の年月日と、上述の表示設定及びフィルタ設定により、ユーザにより表示の許可がなされているコンテンツの種類を示す誕生日コンテンツのアイコンやスケジュールコンテンツのアイコン等を表示する。
【０２０７】
また、制御部１２は、表示領域の左端長手方向に沿って、それぞれ存在するコンテンツの数に対応する、表示部５の長手方向に沿った長さの日インデックスを表示する。この図１２に示す例の場合、９月１２日に対応するコンテンツは１つのみ存在するため、この９月１２日の日インデックスの長さは、１つのコンテンツを表示する分の長さとなっている。これに対して、９月１３日に対応するコンテンツは３つ存在するため、この９月１３日の日インデックスの長さは、３つのコンテンツを表示する分の長さとなっている。
【０２０８】
また、制御部１２は、コンテンツが存在しない日は、日インデックス上の日付を詰めて表示する。この図１２に示す例は、８月２８日と９月１２日との間にコンテンツが存在しない例であり、この場合、制御部１２は、８月２８日のコンテンツと９月１２日のコンテンツとを隣接させて表示する。これにより、コンテンツの存在しない日が多くある場合に、デイビューのライフタイムカレンダー上に空白が多く表示される不都合を防止することができる。
【０２０９】
また、制御部１２は、図１２に示す９月１３日のように複数のコンテンツが存在する日付の場合、各コンテンツを優先順位に従って並べて表示する。一例ではあるが、このコンテンツを表示する際の優先順位は、以下のようになっている。
【０２１０】
まず、同じ日付に対応する複数のコンテンツが有する時間情報がそれぞれ異なる場合（＝同日付けの各コンテンツの時刻がそれぞれ異なる場合）、制御部１２は、
１．誕生日コンテンツ
２．終日設定されたスケジュールコンテンツ
３．静止画コンテンツの撮影時刻(保存時刻)／スケジュールの開始時刻／受信電子メールコンテンツの受信時刻／送信電子メールコンテンツの送信時刻で早い順
の順番に並べて表示する。
【０２１１】
また、同じ日付に対応する複数のコンテンツが有する時間情報がそれぞれ同じである場合（＝同日付けの各コンテンツがそれぞれ同時刻である場合）、制御部１２は、
１．静止画コンテンツ
２．受信電子メールコンテンツ
３．送信電子メールコンテンツ
４．スケジュールコンテンツ
の順番に並べて表示する。
【０２１２】
なお、複数の同じコンテンツがそれぞれ有する時間情報が同時刻の時間情報である場合、制御部１２は、そのコンテンツを再生するアプリケーションプログラムで適用している並べ順に従って、これら各コンテンツを並べて表示する。また、終日設定されたスケジュールコンテンツが複数存在する場合、制御部１２は、スケジュール帳に登録されている各スケジュールの登録順（新→旧）に並べて、各スケジュールコンテンツを表示する。また、同じ開始時刻のスケジュールコンテンツが複数存在する場合も同様に、制御部１２は、スケジュール帳に登録されている各スケジュールの登録順（新→旧）に並べて、各スケジュールコンテンツを表示する。さらに、同日の誕生日コンテンツが複数存在する場合、制御部１２は、電話帳のメモリ番号順に並べて表示する（＝電話帳に対する登録順に並べて表示する。）。ただし、電話帳に登録されたユーザの誕生日コンテンツの日付と、個人情報の登録欄に登録された誕生日コンテンツ（＝自分の誕生日の誕生日コンテンツ）の日付とが同日である場合、制御部１２は、個人情報の登録欄に登録された誕生日コンテンツを先に表示する。
【０２１３】
また、制御部１２は、各コンテンツを表示する場合、以下のメタデータを表示することで、各コンテンツの内容を示すようになっている。
【０２１４】
すなわち、「誕生日コンテンツ」を表示する場合、制御部１２は、ユーザ名、誕生日アイコン（この例の場合、蝋燭の立てられたケーキの画像のアイコン）、フレーム画像（ユーザ名の表示枠となる画像）、電話帳に登録されているそのユーザのサムネイル画像を表示する。
【０２１５】
また、「静止画像コンテンツ」を表示する場合、制御部１２は、撮影時刻／保存時刻、サムネイル画像、管理用タイトル、ファイル種別アイコン、及び取得元アイコンを表示する。
【０２１６】
また、「受信電子メールコンテンツ」を表示する場合、制御部１２は、受信メールアイコン、受信時刻、Ｆｒｏｍアイコン、送信元名／送信元アドレス、添付データアイコン、電話帳に登録されている送信元画像、件名アイコン、件名データを表示する。
【０２１７】
また、「送信電子メールコンテンツ」を表示する場合、制御部１２は、送信メールアイコン、送信時刻、Ｔｏアイコン、宛先名／宛先アドレス、複数人アイコン、添付データアイコン、電話帳に登録されている宛先画像、件名アイコン、件名データを表示する。
【０２１８】
また、「スケジュールコンテンツ」を表示する場合、制御部１２は、スケジュールアイコン、スケジュールの開始時刻、分類アイコン、スケジュールの要約／内容を示すデータ、アラームアイコン、アラームのＯＮ／ＯＦＦ設定を示すデータを表示する。
【０２１９】
図１２に示す９月１３日の日付に表示されたコンテンツは、制御部１２が、上述の優先順位に従って、誕生日コンテンツ、スケジュールコンテンツ、及び静止画像コンテンツを順に並べて表示した例である。この例からわかるように、制御部１２は、誕生日コンテンツを表示する場合、蝋燭の立てられたケーキの画像である誕生日アイコンと花の表示枠であるフレーム画像を表示し、このフレーム画像の中心部に「船橋さん」等のユーザ名を表示する。これにより、デイビューのライフタイムカレンダーを見たユーザに対して、９月１３日は船橋さんの誕生日であることを認識させることができる。
【０２２０】
また、制御部１２は、スケジュールコンテンツを表示する場合、例えば「１８：４６」等のスケジュールの開始時刻と、カレンダーに鉛筆の画像であるスケジュールアイコンと、スケジュールの分類を示す例えばカクテルグラスの画像等の分類アイコンと、「銀座で山下さんと食」等のスケジュールの要約／内容を示すデータと、鐘の画像のアラームアイコンと、アラームのＯＮ／ＯＦＦ設定を示すデータとを表示する。これにより、デイビューのライフタイムカレンダーを見たユーザに対して、９月１３日は１８時４６分から銀座で山下さんと食事を行う予定であることを認識させることができる。
【０２２１】
なお、制御部１２は、文字の表示を行う場合、所定の文字数以上の文字は切り捨てて表示するようになっている。上述の表示例で、「銀座で山下さんと食」でスケジュールの要約／内容の表示が切れているのは、このためである。なお、文字サイズを小さくして全表示し、或いは十字キー２４のの操作に応じてスクロール表示するようにしてもよい。
【０２２２】
また、制御部１２は、静止画像コンテンツを表示する場合、例えば「１３：００」等の撮影時刻／保存時刻と、当該コンテンツが静止画像コンテンツであることを示す静止画像アイコンと、静止画像コンテンツのサムネイル画像と、「犬と散歩」等の管理用タイトルと、ファイルの種別及びファイルサイズを示すファイル種別アイコンと、その静止画像コンテンツがカメラ部８で撮像されたものであることを示す取得元アイコンとを表示する。これにより、デイビューのライフタイムカレンダーを見たユーザに対して、９月１３日の１３時００分に、犬と散歩した際に撮像した静止画像コンテンツが存在することを認識させることができる。
【０２２３】
なお、例えば電話帳や個人情報の登録欄に９月１３日を誕生日として登録されたユーザが船橋さん及び山田さん等のように複数存在する場合、制御部１２は、この９月１３日の日付の欄に、船橋さん及び山田さんの各誕生日コンテンツを並べて表示する。同様に、９月１３日に撮像された静止画像コンテンツが複数存在する場合、制御部１２は、この各静止画像コンテンツを撮影時刻等の順に並べて表示する。
【０２２４】
カレンダービューからデイビューへライフタイムカレンダーの表示切り替えを行うことで、各コンテンツの内容が表示されるようになるため、ユーザは、所望のコンテンツの大まかな「内容」を確認することができる。
【０２２５】
次に、図１１のフローチャートのステップＳ３１において、このようなデイビューのライフタイムカレンダーのリスト表示画面を表示すると、制御部１２は、処理をステップＳ３２に進める。このステップＳ３２では、制御部１２が、操作部６の操作状態を監視することで、表示画面の切り替え操作の有無を判別する。
【０２２６】
すなわち、デイビューのライフタイムカレンダーの表示画面としては、上述のように図１２に示す「リスト表示画面」と図１３に示す「サムネイル表示画面」とが設けられている。一例ではあるが、この各表示画面の切り替えは、ユーザが図２に示す第１のソフトキー２６を押圧操作して行うようになっている。このため、上記ステップＳ３２では、制御部１２が、この第１のソフトキー２６が押圧操作されたか否かを判別することで、各表示画面の切り替え操作がなされたか否かを判別し、第１のソフトキー２６の押圧操作を検出した場合は処理をステップＳ３７に進め、第１のソフトキー２６の押圧操作を検出しない場合は、処理をステップＳ３３に進める。
【０２２７】
第１のソフトキー２６の押圧操作を検出することで処理をステップＳ３７に進めると、制御部１２は、表示部５に表示しているデイビューのライフタイムカレンダーを、図１２に示す「リスト表示画面」から、図１３に示す「サムネイル表示画面」に切り替え表示制御する。
【０２２８】
デイビューのライフタイムカレンダーを、この「サムネイル表示画面」とした場合、制御部１２は、主にサムネイル画像やアイコンで各コンテンツの存在を表示するようになっている。図１３に、「サムネイル表示画面」のデイビューのライフタイムカレンダーの表示例を示す。この図１３において、９月１２日の８時３１分に受信した受信電子メールコンテンツが存在する場合、制御部１２は、この受信電子メールの送信元となるユーザを電話帳から検出し、電話帳に登録されているそのユーザのサムネイル画像を９月１２日の表示欄に表示する。また、このサムネイル画像上に、受信時刻と、受信メールアイコンを表示する。これにより、この「サムネイル表示画面」のデイビューのライフタイムカレンダーを見たユーザに対して、９月１２日の８時３１分に、サムネイル画像で示されるユーザから着信した受信電子メールコンテンツが存在することを認識させることができる。
【０２２９】
同様に、９月１３日を誕生日とするユーザの誕生日コンテンツが存在する場合、制御部１２は、電話帳から９月１３日を誕生日とするユーザのサムネイル画像を検出し、このサムネイル画像を、９月１３日の表示欄に表示する。また、このサムネイル画像上に、誕生日アイコンを表示する。これにより、この「サムネイル表示画面」のデイビューのライフタイムカレンダーを見たユーザに対して、９月１３日は、サムネイル画像で示されるユーザの誕生日であることを認識させることができる。
【０２３０】
同様に、９月１３日の１８時４６分を開始時刻とするスケジュールコンテンツが存在する場合、制御部１２は、このスケジュールコンテンツの分類アイコンを９月１３日の表示欄に表示する。また、この分類アイコン上に、スケジュールの開始時刻と、当該コンテンツがスケジュールコンテンツであることを示すスケジュールアイコンを表示する。これにより、この「サムネイル表示画面」を見たユーザに対して、９月１３日の１８時４６分から、分類アイコンで示される内容のスケジュールが存在することを認識させることができる。
【０２３１】
同様に、９月１３日の１３時００分に撮影した静止画像コンテンツが存在する場合、制御部１２は、この静止画像コンテンツのサムネイル画像を９月１３日の表示欄に表示する。また、このサムネイル画像上に、撮影時刻と、当該コンテンツが静止画像コンテンツであることを示す静止画像アイコンを表示する。これにより、この「サムネイル表示画面」を見たユーザに対して、９月１３日の１３時００分に撮影した静止画像コンテンツが存在することを認識させることができる。
【０２３２】
なお、誕生日コンテンツに対応するユーザのサムネイル画像が電話帳や個人情報の登録欄に登録されていない場合、制御部１２は、サムネイル画像に代えて電話帳或いは個人情報の登録欄に登録されているユーザ名の表示を行う。
【０２３３】
また、送受信電子メールコンテンツに対応するユーザのサムネイル画像が電話帳に登録されていない場合、制御部１２は、サムネイル画像に代えて電話帳に登録されているユーザ名の表示を行う。
【０２３４】
また、スケジュールコンテンツの分類を示す分類アイコンがスケジュール帳に登録されていない場合、制御部１２は、スケジュールの開始時刻及びスケジュールアイコンのみを表示する。
【０２３５】
図１２に示す「リスト表示画面」においては、サムネイル画像やアイコン、及びタイトル等の文字で各コンテンツの表示を行うため、各コンテンツの大まかな内容が認識可能となる反面、一度に、それほど多くのコンテンツを表示することは困難なのであるが、図１３に示す「サムネイル表示画面」においては、基本的にサムネイル画像やアイコンで各コンテンツの表示を行うため、一度に多くのコンテンツを表示することができる。
【０２３６】
次に、図１１に示すフローチャートのステップＳ３２で、上記「リスト表示画面」と「サムネイル表示画面」との切り替え操作を検出しない場合に処理をステップＳ３３に進めると、制御部１２は、フォーカスを日付インデックスへ移行させる操作がなされたか否かを判別する。
【０２３７】
すなわち、図１２に示すデイビューのライフタイムカレンダーの「リスト表示画面」において、制御部１２は、いずれかのコンテンツにフォーカスを当てている状態で第２のソフトキー２７の押圧操作を検出すると、ステップＳ３９に処理を進め、現在フォーカスを当てているコンテンツに対応する日付インデックス上の日付にフォーカスを移動表示制御する。
【０２３８】
例えば、図１２に示す「船橋さん」の誕生日コンテンツにフォーカスを当てていた際に第２のソフトキー２７の押圧操作を検出すると、この「船橋さん」の誕生日コンテンツが表示されている日付インデックス上の日付である１３日の日付にフォーカスを当てる。このように、日付インデックス上の日付に対してフォーカスを当てた場合には、各日付単位でのフォーカス移動が可能となる。
【０２３９】
すなわち、この日付単位でのフォーカス移動を行う場合、ユーザは、日付インデックス上にフォーカスを移動させて十字キー２４の上下操作を行う。制御部１２は、ステップＳ４０において、この十字キー２４の上下操作の有無を判別し、十字キー２４の上下操作を検出した場合、ステップＳ４１において、この十字キー２４の上下操作に応じて日付インデックス上のフォーカスを日付単位で移動表示制御する。
【０２４０】
例えば、図１２に示す例において、日付インデックス上の１３日の日付にフォーカスを当てており、この状態で十字キー２４の上操作を検出した場合、制御部１２は、この上操作がなされる毎に、日付インデックス上のフォーカスを、１３日→１２日→８月２８日→８月２７日・・・等のように、コンテンツが存在する各日付の表示欄に順次、移動表示制御する。
【０２４１】
同様に、図１２に示す例において、日付インデックス上の１３日の日付にフォーカスを当てており、この状態で十字キー２４の下操作を検出した場合、制御部１２は、この下操作がなされる毎に、日付インデックス上のフォーカスを１３日→１４日→１５日・・・等のように、コンテンツが存在する各日付の表示欄に順次、移動表示制御する。
【０２４２】
これにより、デイビューのライフタイムカレンダー上に表示されているコンテンツを、日付単位で変更することができる。
【０２４３】
次に、この実施の形態の携帯電話機の場合、日付インデックス上に移動させたフォーカスを各コンテンツの表示欄に戻す場合、ユーザは決定キー２５を押圧操作するようになっている。ステップＳ４２では、制御部１２が、このような戻り操作の有無を監視しており、決定キー２５の押圧操作を検出した場合、制御部１２は、処理をステップＳ４３に進め、フォーカスを日付インデックス上から各コンテンツの表示欄に移動表示制御する。
【０２４４】
次に、上記ステップＳ３３で、このような日付インデックス上へのフォーカスの移動操作を検出しなかった場合、制御部１２は、処理をステップＳ３４に進め、フォーカスの移動操作の有無を判別する。すなわち、各コンテンツの表示欄に当てられたフォーカスは、十字キー２４の上下操作で移動操作するようになっているため、制御部１２は、ステップＳ３４において、十字キー２４の上下操作の有無を監視する。そして、制御部１２は、十字キー２４の上下操作を検出した際に、ステップＳ３８に処理を進め、この十字キー２４の上下操作に対応して、各コンテンツ単位でフォーカスを移動表示制御する。
【０２４５】
例えば、図１２に示す船橋さんの誕生日コンテンツにフォーカスを当てている場合に、十字キー２４の上操作を検出すると、制御部１２は、船橋さんの誕生日コンテンツ→船橋さんからの受信電子メールコンテンツ→小山田さん宛の送信電子メールコンテンツ・・・の順に各コンテンツ単位でフォーカスを移動表示制御する。
【０２４６】
また、図１２に示す船橋さんの誕生日コンテンツにフォーカスを当てている場合に、十字キー２４の下操作を検出すると、制御部１２は、銀座で山下さんと食事とのタイトルが付けられているスケジュールコンテンツ→犬と散歩とのタイトルが付けられている静止画像コンテンツ→山下さんの誕生日コンテンツ・・・の順に各コンテンツ単位でフォーカスを移動表示制御する。
【０２４７】
次に、このデイビューのライフタイムカレンダーでは、各コンテンツの「大まかな内容」を認識することができるのであるが、所望のコンテンツの「詳細な内容」を確認したい場合、ユーザは、上述のように各日付単位或いは各コンテンツ単位でフォーカスを移動操作し、所望のコンテンツにフォーカスを当てて決定キー２５を押圧操作する。図１１のフローチャートのステップＳ３５では、制御部１２が、この決定キー２５の押圧操作の有無を判別している。すなわち、ステップＳ３５では、制御部１２が、現在、フォーカスを当てているコンテンツの詳細な内容の表示や再生の指定を意味する、決定キー２５の押圧操作の有無を判別している。そして、このステップＳ３５において、決定キー２５の押圧操作を検出した場合、制御部１２は処理をステップＳ３６に進め、現在、フォーカスを当てているコンテンツに対応する専用のアプリケーションプログラムをメモリ１１から起動し、このアプリケーションプログラムに基づいて上記コンテンツの処理を行い、この図１１に示すフローチャートの全処理を終了する。
【０２４８】
具体的には、デイビューのライフタイムカレンダー上の静止画像コンテンツにフォーカスを当てている状態で決定キー２５の押圧操作を検出した場合、制御部１２は、メモリ１１に記憶されているカメラ制御プログラムを起動し、このカメラ制御プログラムのビューワ機能に基づいて、上記静止画像コンテンツを表示部５に表示制御する。これにより、ユーザは、デイビューのライフタイムカレンダー上で選択した静止画像コンテンツの詳細を確認することができる。
【０２４９】
同様に、デイビューのライフタイムカレンダー上の受信電子メールコンテンツ或いは送信電子メールコンテンツにフォーカスを当てている状態で決定キー２５の押圧操作を検出した場合、制御部１２は、メモリ１１に記憶されている電子メール管理プログラムを起動し、この電子メール管理プログラムに基づいて、上記受信電子メールコンテンツ或いは送信電子メールコンテンツの内容（本文等）を表示部５に表示制御する。これにより、ユーザは、デイビューのライフタイムカレンダー上で選択した受信電子メールコンテンツ或いは送信電子メールコンテンツの詳細を確認することができる。
【０２５０】
同様に、デイビューのライフタイムカレンダー上のスケジュールコンテンツにフォーカスを当てている状態で決定キー２５の押圧操作を検出した場合、制御部１２は、メモリ１１に記憶されているスケジュール帳管理プログラムを起動し、このスケジュール帳管理プログラムに基づいて、上記スケジュールコンテンツの内容を表示部５に表示制御する。これにより、ユーザは、デイビューのライフタイムカレンダー上で選択したスケジュールコンテンツの詳細を確認することができる。
【０２５１】
同様に、デイビューのライフタイムカレンダー上の誕生日コンテンツにフォーカスを当てている状態で決定キー２５の押圧操作を検出した場合、制御部１２は、メモリ１１の電話帳に記憶されている、その誕生日コンテンツに対応するユーザの登録欄、或いは当該携帯電話機のユーザの個人情報の登録欄を表示部５に表示制御する。これにより、誕生日コンテンツに対応するユーザの電話番号や電子メールアドレス等が表示部５に表示されることとなり、誕生日を迎えるユーザに対して電話や電子メール等で容易に連絡可能とすることができる。
【０２５２】
なお、上述の説明では、主にデイビューのライフタイムカレンダーの「リスト表示画面」において、所望のコンテンツにフォーカスが当たっている状態で決定キー２５を押圧操作すると、制御部１２が、そのコンテンツに対応するアプリケーションプログラムを起動することとして説明を行ったが、デイビューのライフタイムカレンダーの「サムネイル表示画面」でも同様である。すなわち、制御部１２は、図１３に示すサムネイル表示画面を表示している際に、決定キー２５の押圧操作を検出すると、このサムネイル表示画面上でフォーカスを当てているコンテンツに対応するアプリケーションプログラムを起動する。これにより、ユーザは、「リスト表示画面」の表示時と同様に、「サムネイル表示画面」の表示時においても、フォーカスを当てて選択したコンテンツの詳細な内容を確認することができる。
【０２５３】
〔デイビューへの移行時におけるスケジュール新規作成コンテンツの表示〕
次に、図５に示す９月９日のように、カレンダービューのライフタイムカレンダーにおいては、コンテンツが存在しない日付の表示欄は、空白で表示される。制御部１２は、カレンダービューのライフタイムカレンダー上で、このようなコンテンツが存在しない日にフォーカスが移動操作され決定キー２５が押圧操作された場合、デイビューのライフタイムカレンダーを表示する際に、以下に説明する「スケジュール新規作成コンテンツ」を表示するようになっている。
【０２５４】
図１４のフローチャートに、このスケジュール新規作成コンテンツの表示動作の流れを示す。このフローチャートは、制御部１２が、カレンダービューのライフタイムカレンダー上のいずれかの日付の表示欄にフォーカスを当てている状態で上記決定キー２５の押圧操作を検出した際に、ライフタイムカレンダーアプリケーションプログラムに基づいてスタートさせる。
【０２５５】
ステップＳ５１では、制御部１２が、カレンダービューのライフタイムカレンダー上で選択された日付（＝フォーカスが当てられていた日付）に対応するコンテンツが存在するか否かを判別する。カレンダービューのライフタイムカレンダー上でフォーカスが当てられていた日付に対応するコンテンツが存在する場合、制御部１２は、図１１のフローチャートのステップＳ３１に処理を進め、上述のように図１２に示すデイビューのライフタイムカレンダーのリスト表示画面を表示部５に表示制御する。
【０２５６】
これに対して、カレンダービューのライフタイムカレンダー上でフォーカスが当てられていた日付に対応するコンテンツが存在しない場合、制御部１２は、ステップＳ５２に処理を進め、図１５に示すようにデイビューのライフタイムカレンダーのリスト表示画面を表示部５に表示制御する。そして、このデイビューのライフタイムカレンダー上に、カレンダービューのライフタイムカレンダー上でフォーカスが当てられていた日付の表示欄を新たに設け、この新たに設けた表示欄に「新規スケジュール作成」の文字及びアイコンを表示する。
【０２５７】
すなわち、デイビューのライフタイムカレンダーを表示する場合、制御部１２は、コンテンツが存在しない日付の表示欄は詰めて表示するのであるが、カレンダービューのライフタイムカレンダー上でコンテンツの存在しない日付が選択された場合、デイビューのライフタイムカレンダーを表示する際に、このコンテンツの存在しない日付の表示欄をデイビューのライフタイムカレンダー上に新たに設け、ここに上記「新規スケジュール作成」の文字とアイコンを表示してフォーカスを当てる。
【０２５８】
なお、図１５に示す例は、コンテンツが存在しない２００５年９月９日がカレンダービューのライフタイムカレンダー上で選択された場合を示している。この場合、デイビューのライフタイムカレンダー上には、新たに２００５年９月９日の表示欄が設けられ、ここに「新規スケジュール作成」の文字及びアイコンが表示されフォーカスが当てられることとなる。
【０２５９】
次に、制御部１２は、ステップＳ５３において、この「新規スケジュール作成」の文字及びアイコンの表示欄にフォーカスが当たっている状態で決定キー２５が押圧操作されたか否かを判別する。この状態で、決定キー２５が押圧操作されたということは、ユーザが、上記コンテンツの存在しない日付に対して新たなスケジュールの登録を希望していることを意味する。このため、制御部１２は、処理を図１１に示すフローチャートのステップＳ３６へ進め、スケジュール帳管理プログラムを起動し、新規スケジュール作成画面を表示する。これにより、ユーザは、スケジュール帳に対して新たなスケジュールの登録を行うことができる。そして、制御部１２は、この新たに登録されたスケジュールのスケジュールコンテンツを、上述のカレンダービュー或いはデイビューのライフタイムカレンダーの表示時に表示することとなる。
【０２６０】
なお、「リスト表示画面」から「サムネイル表示画面」にデイビューのライフタイムカレンダーの表示切り替えが行われた場合でも、この「新規スケジュール作成」の表示は行われる。すなわち、制御部１２は、デイビューのライフタイムカレンダーの「リスト表示画面」で「新規スケジュール作成」の文字及びアイコンを表示した後に、図１１のフローチャートのステップＳ３２で「サムネイル表示画面」への切り替え操作を検出した場合、制御部１２は、ステップＳ３７において、図１６に示すように、対応する日付の表示欄に「新規スケジュール作成」に対応するアイコンのみを表示した「サムネイル表示画面」を表示制御する。
【０２６１】
「リスト表示画面」においては、図１５に示すように「新規スケジュール作成」の文字及びアイコンが表示されるのであるが、「サムネイル表示画面」においては、図１６に示すように当該コンテンツが新規スケジュール作成コンテンツであることを示すアイコンのみが表示されるようになっている。
【０２６２】
また、この「サムネイル表示画面」においても、「新規スケジュール作成」のアイコンにフォーカスが当てられた状態で決定キー２５の押圧操作を検出した場合、制御部１２は、図１１に示すフローチャートのステップＳ３６に処理を進め、スケジュール帳管理プログラムを起動し、新規スケジュール作成画面を表示する。ユーザは、このスケジュール帳管理プログラムに基づいて表示された新規スケジュール作成画面に対して、新たなスケジュールの登録を行い、制御部１２は、この新たに登録されたスケジュールのスケジュールコンテンツを、上述のカレンダービュー或いはデイビューのライフタイムカレンダーの表示時に表示する。
【０２６３】
［想い出ポップアップ表示動作］
次に、上述のカレンダービューのライフタイムカレンダー、及びデイビューのライフタイムカレンダー上のいずれかの日付にフォーカスが所定時間以上当たっていた場合、制御部１２は、このフォーカスが当たっている日付に対して過去となる日付のコンテンツをポップアップ表示するようになっている（想い出ポップアップ機能）。図１７のフローチャートに、この想い出ポップアップ表示動作の流れを示す。
【０２６４】
制御部１２は、図５を用いて説明したカレンダービューのライフタイムカレンダー上のいずれかの日付の表示欄に当てられているフォーカスの停止状態を検出したタイミング、或いは図１２、図１３を用いて説明したデイビューのライフタイムカレンダー上のいずれかの日付の表示欄に当てられているフォーカスの停止状態を検出したタイミングで、メモリ１１に記憶されているライフタイムカレンダーアプリケーションプログラムに基づいて、この図１７のフローチャートに示す処理をスタートさせる。すなわち、制御部１２は、カレンダービュー或いはデイビューのライフタイムカレンダー上のいずれかの日付の表示欄にフォーカスが当てられ続けていることを検出した際に、この図１７のフローチャートに示す処理をスタートさせる。
【０２６５】
ステップＳ６１では、制御部１２が、予め設定されている想い出表示時間をメモリ１１から読み込み、フォーカスの停止状態を検出してから経過した時間を、タイマ１０で計時されている時刻情報に基づいてカウントする。そして、このカウントした時間が、上記予め設定されている想い出表示時間を経過したか否かを判別する。
【０２６６】
すなわち、この実施の形態の携帯電話機の場合、図４（ａ）を用いて説明したように、「早い／普通／遅い」の各プルダウンメニューの中から、想い出ポップアップ表示を行うまでの時間を設定可能となっている。そして、一例ではあるが、制御部１２は、上記「早い」のメニューが選択されている場合、フォーカスの停止を検出してから「５秒後」に想い出ポップアップ表示を行い、上記「普通」のメニューが選択されている場合、フォーカスの停止を検出してから「７．５秒後」に想い出ポップアップ表示を行い、上記「遅い」のメニューが選択されている場合、フォーカスの停止を検出してから「１０秒後」に想い出ポップアップ表示を行うようになっている。
【０２６７】
このため、制御部１２は、上記ステップＳ６１においては、上記「早い」のメニューが選択されている場合、フォーカスの停止を検出してから「５秒」が経過したか否かを判別し、上記「普通」のメニューが選択されている場合、フォーカスの停止を検出してから「７．５秒」が経過したか否かを判別し、上記「遅い」のメニューが選択されている場合、フォーカスの停止を検出してから「１０秒」が経過したか否かを判別する。そして、制御部１２は、フォーカスの停止を検出してから経過した時間が、上記予め設定されている想い出表示時間を経過したことを検出したタイミングで処理をステップＳ６２に進める。
【０２６８】
ステップＳ６２では、制御部１２が、メモリ１１に記憶されている各種コンテンツの中から、最も古い時間情報を有するコンテンツ（最古の日付を有するコンテンツ）を検出し、処理をステップＳ６３に進める。
【０２６９】
ステップＳ６３では、制御部１２が、上記ステップＳ６２で検出した最古の日付を有するコンテンツに付されている時間情報と、タイマ１０から取り込んだ現在の日付を示す時間情報とを比較することで、ステップＳ６２で検出したコンテンツが有する最古の日付は、現在から１年以上前の日付であるか否かを判別する。そして、ステップＳ６２で検出したコンテンツが有する最古の日付が、現在から１年以上前の日付であると判別した場合には、処理をステップＳ６９に進め、ステップＳ６２で検出したコンテンツが有する最古の日付が、現在から１年以内の日付であると判別した場合には、処理をステップＳ６４に進める。
【０２７０】
上記ステップＳ６３において、上記ステップＳ６２で検出したコンテンツが有する最古の日付が、現在から１年以上前の日付であると判別することで処理をステップＳ６９に進めると、制御部１２は、カレンダービュー或いはデイビューのライフタイムカレンダー上で、現在、フォーカスを当てている日付の１年前に相当する日付、或いは、この１年前に相当する日付に近い日付に対応する所定種類のコンテンツをメモリ１１から検出する。また、このフォーカスを当てている日付の１年前に相当する日付、或いは、この１年前に相当する日付に近い日付に対応する所定種類のコンテンツをメモリ１１から検出できない場合、制御部１２は、フォーカスを当てている日付の２年前に相当する日付、或いは、この２年前に相当する日付に近い日付に対応する所定種類のコンテンツをメモリ１１から検出する。
【０２７１】
一例ではあるが、この実施の形態の携帯電話機の場合、想い出ポップアップ機能で表示するコンテンツの優先順位は、
１．カメラ部８で撮像された静止画像コンテンツ、
２．保護設定されている受信電子メールコンテンツ或いは送信電子メールコンテンツ、
３．スケジュールコンテンツ、
４．ネットワークを介してダウンロードされた静止画像コンテンツ、
５．保護設定されていない受信電子メールコンテンツ或いは送信電子メールコンテンツ
の順となっている。このため、制御部１２は、この想い出ポップアップ表示を行う場合には、この優先順位に従ってメモリ１１から各種コンテンツの検出を行う。
【０２７２】
上記ステップＳ６９におけるコンテンツの検出動作を、もう少し詳しく説明すると、制御部１２は、フォーカスを当てている日付の１年前に相当する日付に対応するコンテンツの有無を最初に検出し、この１年前に相当する日付に対応するコンテンツを検出できなかった場合、次に、フォーカスを当てている日付の２年前に相当する日付に対応するコンテンツの有無を検出する等のように、上記最古のコンテンツの日付が属する年度まで、「年単位」で順次遡って上記コンテンツの有無を検出する。
【０２７３】
例えば、上記最古の日付を有するコンテンツとして２００３年７月１０日の日付のコンテンツが検出され、カレンダービュー或いはデイビューのライフタイムカレンダー上でフォーカスを当てている日付が２００５年９月１３日であった場合、制御部１２は、まず、このフォーカスを当てている日付の１年前の日付に相当する２００４年９月１３日の日付に対応するコンテンツをメモリ１１から検出する。
【０２７４】
また、このような丁度１年前に相当する日付に対応するコンテンツが存在せず、該コンテンツを検出できなかった場合、制御部１２は、この１年前に相当する日付である２００４年９月１３日の例えば前後１週間の各日付（２００４年９月６日〜２００４年９月１２日、及び２００４年９月１４日〜２００４年９月２０日）にそれぞれ対応するコンテンツをメモリ１１から検出する。
【０２７５】
また、これら１年前の各日付に対応するコンテンツが検出されなかった場合、制御部１２は、フォーカスを当てている日付の２年前の日付に相当する２００３年９月１３日の日付に対応するコンテンツをメモリ１１から検出する。
【０２７６】
また、このような丁度２年前に相当する日付に対応するコンテンツが存在せず、該コンテンツを検出できなかった場合、制御部１２は、この２年前に相当する日付である２００３年９月１３日の例えば前後１週間の各日付（２００３年９月６日〜２００３年９月１２日、及び２００３年９月１４日〜２００３年９月２０日）にそれぞれ対応するコンテンツをメモリ１１から検出する。
【０２７７】
このように、制御部１２は、上記最古のコンテンツの日付が属する年度まで、「年単位」で順次遡って上記コンテンツの有無を検出する。
【０２７８】
次に、ステップＳ７０では、制御部１２が、上記「年単位」で検出するコンテンツの有無を判別しており、上記所定種類のコンテンツを検出したタイミングで処理をステップＳ６６に進め、上記所定種類のコンテンツを検出できなかった場合は、処理をステップＳ７１に進める。
【０２７９】
一方、上記ステップＳ６３において、上記最古の日付が１年以上前の日付ではないと判別した場合、制御部１２は、ステップＳ６４において、上記最古の日付は１ヶ月以上前の日付であるか否かを判別する。そして、上記最古の日付が１ヶ月以上前の日付であると判別した場合は処理をステップＳ７１に進め、上記最古の日付が１ヶ月以内の日付であると判別した場合は処理をステップＳ６５に進める。
【０２８０】
次に、上記ステップＳ６４において、上記最古の日付が１ヶ月以上前の日付であると判別した場合、及び上記ステップＳ６９及び上記ステップＳ７０において、上述の「年単位」のコンテンツの検出を行っても、対応するコンテンツを検出できなかった場合、制御部１２は、ステップＳ７１において「月単位」でのコンテンツの検出を行う。
【０２８１】
すなわち、このステップＳ７１では、制御部１２は、まず、フォーカスを当てている日付の１ヶ月前に相当する日付に対応するコンテンツの有無を検出し、この１ヶ月前に相当する日付に対応するコンテンツを検出できなかった場合、次に、フォーカスを当てている日付の２ヶ月前に相当する日付に対応するコンテンツの有無を検出する等のように、上記最古のコンテンツの日付が属する月まで、「月単位」で順次遡って上記コンテンツの有無を検出する。
【０２８２】
例えば、上記最古の日付を有するコンテンツとして２００４年１１月１０日の日付のコンテンツが検出され、カレンダービュー或いはデイビューのライフタイムカレンダー上でフォーカスを当てている日付が２００５年９月１３日であった場合、制御部１２は、まず、このフォーカスを当てている日付の１ヶ月前の日付に相当する２００５年８月１３日の日付、及び２００５年８月１３日の例えば前後１週間の各日付（２００５年８月６日〜２００５年８月１２日、及び２００５年８月１４日〜２００５年８月２０日）にそれぞれ対応するコンテンツをメモリ１１から検出する。
【０２８３】
また、これら１ヶ月前の各日付に対応するコンテンツが検出されなかった場合、制御部１２は、フォーカスを当てている日付の２ヶ月前の日付に相当する２００５年７月１３日の日付、及び２００５年７月１３日の例えば前後１週間の各日付（２００５年７月６日〜２００５年７月１２日、及び２００５年７月１４日〜２００５年７月２０日）にそれぞれ対応するコンテンツをメモリ１１から検出する。
【０２８４】
このように、制御部１２は、上記最古のコンテンツの日付が属する月まで、「月単位」で順次遡って上記コンテンツの有無を検出する。そして、制御部１２は、ステップＳ７２において、上記「月単位」で検出したコンテンツの有無を判別し、上記所定種類のコンテンツを検出した場合には、このタイミングで処理をステップＳ６６に進め、上記所定種類のコンテンツの存在を検出できなかった場合は、処理をステップＳ６５に進める。
【０２８５】
次に、上記ステップＳ６４において、上記最古の日付が１ヶ月以内の日付であると判別した場合、及び上記ステップＳ７１及び上記ステップＳ７２において、上述の「月単位」のコンテンツの検出を行っても、対応するコンテンツを検出できなかった場合、制御部１２は、ステップＳ６５において、フォーカスを当てている日付と上記最古の日付との間の日付の中から、乱数に基づいてランダムに日付を決定し、この決定した日付のコンテンツを検出し、処理をステップＳ６６に進める。
【０２８６】
次に、ステップＳ６６では、上記年単位で検出を行うことができた場合には、この年単位の検出動作で検出したコンテンツを、上記月単位で検出を行うことができた場合には、この月単位の検出動作で検出したコンテンツを、或いは上記ランダムに検出を行うことができた場合には、このランダムの検出動作で検出したコンテンツを、制御部１２が表示部５にポップアップ表示すると共に、図１に示すメモリ１１に記憶されている想い出リストに、この表示したコンテンツを示す履歴情報を登録制御する。
【０２８７】
図１８〜図２０に、ポップアップ表示されたコンテンツの表示例を示す。図１８は、カレンダービューのライフタイムカレンダーの表示時に、ポップアップ表示されたコンテンツの表示例である。この図１８に示す例は、２００５年１０月のカレンダービューのライフタイムカレンダー上の１０月１３日の日付（この例の場合、本日の日付に相当）にフォーカスが当たっており、制御部１２が、この２００５年１０月１３日の１年前の日付に相当する２００４年１０月１３日の日付のコンテンツを検出してポップアップ表示した例である。
【０２８８】
また、図１９は、リスト表示画面のデイビューのライフタイムカレンダー上にポップアップ表示されたコンテンツの表示例である。この図１９に示す例は、２００５年９月２３日の誕生日コンテンツにフォーカスが当てられており、これに対応して、２００４年９月２２日の日付に対応するコンテンツが検出されポップアップ表示された例である。
【０２８９】
すなわち、本来的には、２００５年９月２３日の１年前の日付となる２００４年９月２３日の日付に対応するコンテンツがポップアップ表示されるのであるが、この２００４年９月２３日の日付に対応するコンテンツが存在しないために、図１９に示す例においては、上記９月２３日の前後１週間に属する９月２２日の日付のコンテンツが表示されている。
【０２９０】
また、図２０は、サムネイル表示画面のデイビューのライフタイムカレンダー上にポップアップ表示されたコンテンツの表示例である。この図２０に示す例は、２００５年９月２３日の静止画像コンテンツのサムネイル画像にフォーカスが当てられており、これに対応して、２００４年９月２３日の日付に対応するコンテンツが検出されポップアップ表示された例である。
【０２９１】
このような想い出ポップアップ表示を行う場合、制御部１２は、フォーカスを当てているコンテンツの表示領域を避けてポップアップ表示を行うようになっている。すなわち、図１８に示す例では、表示部５の略中央の表示領域に表示している１０月１３日の日付のコンテンツにフォーカスを当てているため、制御部１２は、このフォーカスを当てているコンテンツの表示領域を避け、例えば表示部５の下端部近傍の表示領域（或いは、表示部５の上端部近傍の表示領域でもよい。）にポップアップ表示を行っている。
【０２９２】
また、制御部１２は、この想い出ポップアップ表示時には、例えば３つのコンテンツを、表示部５の短手方向に沿って並べて表示するようになっている。図１８の例は、制御部１２が上述のコンテンツの優先順位に基づいて３つ以上のコンテンツを検出し、ポップアップ表示を行う表示領域の左から右の表示領域にかけて、誕生日コンテンツ、カメラ部８で撮像された静止画像コンテンツ（サムネイル画像）、保護設定された受信電子メールコンテンツを表示した例である。なお、検出したコンテンツが２つ以下の場合、制御部１２は、残りの表示領域を空白として表示するようになっている。
【０２９３】
また、制御部１２は、検出したコンテンツが４つ以上存在する場合、次回の想い出ポップアップ表示時には、前回表示したコンテンツ以外のコンテンツを表示するようになっている。具体的には、図１８の例において、制御部１２が、２００４年１０月１３日の日付のコンテンツとして６枚の静止画像コンテンツを検出し、このうち３枚の静止画像コンテンツを想い出ポップアップ表示した場合、制御部１２は、この想い出ポップアップ表示した３枚の静止画像コンテンツに関する情報（例えば、各静止画像コンテンツの識別情報等）を記憶しておき、次回、２００４年１０月１３日の日付に対応する想い出ポップアップ表示を行う際に、上記記憶した情報に基づいて、前回想い出ポップアップ表示した３枚の静止画像コンテンツとは異なる３枚の静止画像コンテンツを想い出ポップアップ表示する。これにより、同じ日付に対応する想い出ポップアップ表示を行う場合でも、該想い出ポップアップ表示を行う毎に、異なるコンテンツを表示することができる。
【０２９４】
次に、制御部１２は、このような想い出ポップアップ表示を行うと、図１７のフローチャートのステップＳ６７において、現在、停止しているフォーカスの移動操作がなされたか否かを、操作部６の操作状態に基づいて監視する。そして、フォーカスの移動操作を検出するまでの間、上述の想い出ポップアップ表示を継続して行い、フォーカスの移動操作を検出したタイミングで処理をステップＳ６８に進める。
【０２９５】
ステップＳ６８では、フォーカスの移動操作を検出したため、制御部１２が、表示している想い出ポップアップ表示を表示部５から消去して、この図１７のフローチャートに示す全処理を終了する。すなわち、制御部１２は、フォーカス操作が停止している間、上述の想い出ポップアップ表示を行い、フォーカス操作を検出したタイミングで、想い出ポップアップ表示を終了する。これにより、ユーザの操作が停止している間のみ想い出ポップアップ表示を行うことができ、この想い出ポップアップ表示により、ユーザの操作が妨げられる不都合を防止することができる。
【０２９６】
［想い出リスト表示動作］
次に、このような想い出ポップアップ表示がなされると、上述のように、その想い出ポップアップ表示されたコンテンツに関する情報は、履歴としてメモリ１１の想い出リストに登録される。この想い出リストは、ユーザの所定の操作で表示することができる。そして、制御部１２は、この想い出リストから所望のコンテンツの日付が選択されると、その選択された日付に対応するデイビューのライフタイムカレンダーを表示するようになっている。このような動作の流れを、図２１のフローチャートに示す。このフローチャートは、カレンダービュー或いはデイビューのライフタイムカレンダーを表示部５に表示することで、制御部１２が、ライフタイムカレンダーアプリケーションプログラムに基づいてスタートさせる。
【０２９７】
ステップＳ８１では、制御部１２が、操作部６の操作状態を監視することで、想い出リストの表示指定操作がなされたか否かを判別する。
【０２９８】
一例ではあるが、想い出リストを表示する場合、ユーザは、カレンダービュー或いはデイビューのライフタイムカレンダーの表示時に、図２（ａ）に示す第４のソフトキー２９を押圧操作するようになっている。このため、制御部１２は、ステップＳ８１において、上記第４のソフトキー２９の押圧操作の有無を判別することで、ユーザから想い出リストの表示が指定されたか否かを判別する。そして、第４のソフトキー２９の押圧操作を検出したタイミングで処理をステップＳ８２に進める。
【０２９９】
ステップＳ８２では、制御部１２が、メモリ１１に記憶されている想い出リストを表示部５に表示制御する。図２２に、この想い出リストの表示例を示す。一例ではあるが、メモリ１１に記憶される想い出リストには、４回分の想い出ポップアップ表示の履歴が登録されるようになっている。図２２に示す例は、メモリ１１の想い出リストに、２００３年９月２３日、２００４年４月３０日、２００４年８月６日、２００４年９月２３日の各想い出ポップアップ表示の履歴が登録されており、これらが表示された例である。
【０３００】
次に、制御部１２は、このように表示した想い出リストの各履歴のうち、例えば一番新しい履歴に対してデフォルトとしてフォーカスを当てる。ユーザは、十字キー２４を上下操作することでフォーカスを移動操作し、所望の履歴にフォーカスを当てた状態で決定キー２５を押圧操作することで所望の履歴を選択する。ステップＳ８３では、制御部１２が、決定キー２５の操作状態を検出することで、想い出リストから所望の履歴の選択操作がなされたか否かを判別しており、決定キー２５の押圧操作を検出した場合は処理をステップＳ８４に進め、決定キー２５の押圧操作を検出しない場合は処理をステップＳ８５に進める。
【０３０１】
ステップＳ８４では、決定キー２５の押圧操作を検出したため、制御部１２が、現在、想い出リスト上でフォーカスを当てている履歴の日付を検出し、この日付を基準とするデイビューのライフタイムカレンダーを表示部５に表示制御して、この図２１のフローチャートの全処理を終了する。
【０３０２】
具体的には、図２２に示す例において、例えば２００３年９月２３日の履歴にフォーカスを当てている状態で決定キー２５の押圧操作を検出した場合、制御部１２は、図１２を用いて説明したリスト表示画面のデイビューのライフタイムカレンダーを表示部５に表示制御する。この際、制御部１２は、９月２３日の各コンテンツを、表示部５の表示領域の中心に位置させるかたちで、デイビューのライフタイムカレンダーを表示する。これにより、想い出リストから選択した履歴の詳細を、デイビューのライフタイムカレンダーで確認可能とすることができる。
【０３０３】
なお、この例では、想い出リストから履歴が選択された場合、この選択された履歴の日付に対応する「リスト表示画面」のデイビューのライフタイムカレンダーを表示することとしたが、これは、選択された履歴の日付に対応する「サムネイル表示画面」のデイビューのライフタイムカレンダー（図１３参照）を表示するようにしてもよい。
【０３０４】
一方、上記ステップＳ８３において、決定キー２５の押圧操作を検出しないことで処理をステップＳ８５に進めると、制御部１２は、表示画面を、この想い出リストを表示する直前に表示していた前画面に戻す操作がなされたか否かを判別する。一例ではあるが、この実施の形態の携帯電話機の場合、制御部１２は、想い出リストの表示時に、図２（ａ）に示すクリアキー３２の押圧操作を検出すると、表示画面を、この想い出リストを表示する直前に表示していた前画面に戻すようになっている。
【０３０５】
このため、制御部１２は、ステップＳ８５において、クリアキー３２の押圧操作の有無を判別することで、ユーザにより、表示画面を前画面に戻す操作がなされたか否かを判別し、クリアキー３２の押圧操作を検出した場合、処理をステップＳ８６に進め、想い出リストを表示する直前に表示していた、カレンダービュー或いはデイビューのライフタイムカレンダーを表示部５に表示制御して、この図２１のフローチャートに示す全処理を終了する。
【０３０６】
これに対して、上記ステップＳ８５において、クリアキー３２の押圧操作を検出しない場合、制御部１２は、ステップＳ８７において、上記クリアキー３２以外のキーの押圧操作の有無を監視する。そして、いずれのキーの押圧操作も検出しない場合には、処理をステップＳ８２に戻し、想い出リストの表示を継続して行い、いずれのキーの押圧操作を検出した場合には、そのタイミングで、この図２１のフローチャートに示す全処理を終了し、この押圧操作されたキーに対応する処理を行う。
【０３０７】
具体的には、この実施の形態の携帯電話機の場合、想い出リストの表示時に、第３のソフトキー２８を押圧操作するとメインメニューが表示され、オンフックキー３１を押圧操作すると、ライフタイムカレンダーアプリケーションプログラムを終了するようになっている。ステップＳ８７では、制御部１２が、上記第３のソフトキー２８やオンフックキー３１の押圧操作の有無を監視しており、上記第３のソフトキー２８やオンフックキー３１の押圧操作を検出したタイミングで、図２１のフローチャートに示す処理を終了し、上記メインメニューの表示制御や、当該ライフタイムカレンダーアプリケーションプログラムの終了制御を行う。
【０３０８】
［想い出ポップアップの他の表示動作−１］
次に、上述の想い出ポップアップ表示における動作は、フォーカスが当てられている日付の１年前の日付、或いは１ヶ月前の日付等の「過去の日付」を基準として想い出ポップアップ表示を行うものであったが、これは、以下に説明するように「過去のコンテンツ数」を基準として想い出ポップアップ表示を行うようにしてもよい。
【０３０９】
この「過去のコンテンツ数」を基準として行う想い出ポップアップ表示動作の流れを図２３のフローチャートに示す。なお、この図２３のフローチャートにおいて、図１７のフローチャートと同様の動作を示すステップには、該図１７のフローチャートと同じステップ番号を付すことで、重複した動作説明は省略することとする。
【０３１０】
図２３のフローチャートにおいて、制御部１２は、カレンダービュー或いはデイビューのライフタイムカレンダーの表示時に、フォーカスの停止状態を検出すると、ステップＳ６１において、予め設定されている想い出表示時間の経過を検出し、この想い出表示時間を経過したタイミングで処理をステップＳ９１に進める。
【０３１１】
ステップＳ９１では、制御部１２が、メモリ１１に記憶されている各コンテンツに付されている時間情報に基づいて、フォーカスの当たっているコンテンツの日付に対して過去となる日付のうち、最もコンテンツ数が多い日付のコンテンツを検出する。
【０３１２】
具体的には、例えばカレンダービュー或いはデイビューのライフタイムカレンダーにおいて、２００５年９月１３日の日付にフォーカスを当てていた場合、制御部１２は、メモリ１１から、２００５年９月１３日の日付以前の日付を有するコンテンツを検出する。そして、この２００５年９月１３日の日付以前の日付のうち、最もコンテンツ数の多い日付を検出し、この日付のコンテンツを、想い出ポップアップ表示を行うコンテンツとする。
【０３１３】
そして、図１７のフローチャートを用いて説明したように、ステップＳ６７でフォーカスの移動操作を検出するまでの間、ステップＳ６６において、この最もコンテンツ数の多い日付のコンテンツを想い出ポップアップ表示する。
【０３１４】
例えば、ユーザが旅行に行った場合や結婚式に出席した場合等には、静止画像コンテンツのコンテンツ数が多くなる。また、電子メールで仕事の打ち合わせや、段取りを設定した場合等には、保護設定された電子メールコンテンツの数が多くなる。このため、コンテンツ数が多いということは、そのユーザにとって、何らかの重要な日であったことを意味する。
【０３１５】
このようなことから、制御部１２が、カレンダービュー或いはデイビューのライフタイムカレンダーにおいてフォーカスの当てられている日付に対して過去となる日付のうち、最もコンテンツ数が多い日付を検出し、この日付に対応するコンテンツを想い出ポップアップ表示することにより、ユーザにとって過去に重要な日付となっていた確率の高い日付のコンテンツを想い出ポップアップ表示することができる。
【０３１６】
［想い出ポップアップの他の表示動作−２］
次に、想い出ポップアップ表示を行う際に、上述の「過去の日付」及び「過去のコンテンツ数」を基準として想い出ポップアップ表示を行ってもよい。この「過去の日付」及び「過去のコンテンツ数」を併用する想い出ポップアップ表示動作の流れを図２４のフローチャートに示す。なお、この図２４のフローチャートにおいて、図１７のフローチャートと同様の動作を示すステップには、該図１７のフローチャートと同じステップ番号を付すことで、重複した動作説明は省略することとする。
【０３１７】
図２４のフローチャートにおいて、制御部１２は、カレンダービュー或いはデイビューのライフタイムカレンダーの表示時に、フォーカスの停止状態を検出すると、ステップＳ６１において、予め設定されている想い出表示時間の経過を検出し、この想い出表示時間を経過したタイミングで処理をステップＳ１０１に進める。
【０３１８】
ステップＳ１０１では、制御部１２が、カレンダービュー或いはデイビューのライフタイムカレンダー上でフォーカスを当てている日付の１年前の日付（及び１年前の日付に近い日付）のコンテンツを検出すると共に、フォーカスを当てている日付の１ヶ月前の日付（及び１ヶ月前の日付に近い日付）のコンテンツを検出する。
【０３１９】
また、制御部１２は、ステップＳ１０２において、カレンダービュー或いはデイビューのライフタイムカレンダー上でフォーカスを当てている日付に対して過去となる日付をランダムに検出し、この日付に対応するコンテンツを検出する。
【０３２０】
次に、制御部１２は、ステップＳ１０３において、上記ステップＳ１０１及びステップＳ１０２で検出した上記１年前の日付（及び１年前の日付に近い日付）、上記１ヶ月前の日付（及び１ヶ月前の日付に近い日付）、及びランダムに検出した日付のうち、コンテンツ数が最も多い日付を検出する。
【０３２１】
そして、制御部１２は、図１７のフローチャートを用いて説明したように、ステップＳ６７でフォーカスの移動操作を検出するまでの間、ステップＳ６６において、この最もコンテンツ数の多い日付のコンテンツを想い出ポップアップ表示する。
【０３２２】
これにより、カレンダービュー或いはデイビューのライフタイムカレンダー上でフォーカスが当てられている日付に関連し、かつ、ユーザにとって、過去に重要な日付となっていた確率の高い日付のコンテンツを想い出ポップアップ表示することができる。
【０３２３】
［想い出ポップアップの他の表示動作−３］
次に、想い出ポップアップ表示を行う際に、上述の「年単位の検出」、「月単位の検出」、及び「ランダムの検出」のうち、いずれかをランダム、或いは所定の確率に基づいて選択し、これにより検出された上記所定種類のコンテンツを想い出ポップアップ表示してもよい。この想い出ポップアップ表示動作の流れを図２８のフローチャートに示す。なお、この図２８のフローチャートにおいて、図１７のフローチャートと同様の動作を示すステップには、該図１７のフローチャートと同じステップ番号を付すことで、重複した動作説明は省略することとする。
【０３２４】
図２８のフローチャートにおいて、制御部１２は、カレンダービュー或いはデイビューのライフタイムカレンダーの表示時に、フォーカスの停止状態を検出すると、ステップＳ６１において、予め設定されている想い出表示時間の経過を検出し、この想い出表示時間を経過したタイミングで処理をステップＳ６２に進める。そして、このステップＳ６２において、最古の日付を有するコンテンツを検出して、処理をステップＳ１４１に進める。
【０３２５】
ステップＳ１４１では、制御部１２が、上述の「年単位の検出」、「月単位の検出」、及び「ランダムの検出」のうち、いずれの検出を行うかを、所定の確率に基づいて決定する。一例ではあるが、この実施の形態の携帯電話機の場合、「年単位の検出」が選択される確率が３３％、「月単位の検出」が選択される確率が３３％、及び「ランダムの検出」が選択される確率が３３％に、それぞれ設定されている。すなわち、「年単位の検出」、「月単位の検出」、及び「ランダムの検出」は、それぞれ略々同じ確率で決定されるようになっている。
【０３２６】
なお、例えば「年単位の検出」が決定される確率が６０％、「月単位の検出」が決定される確率が３０％、及び「ランダムの検出」が決定される確率が１０％等のように、所定の検出に重み付けを施してもよい。この例の場合、「年単位の検出」が決定される確率が一番高くなる。また、「年単位の検出」、「月単位の検出」、及び「ランダムの検出」に対して、ユーザが所望の確率を設定可能としてもよい。
【０３２７】
次に、制御部１２は、ステップＳ１４２及びステップＳ１４３において、年単位の検出を行うか、及び月単位の検出を行うかを判別する。年単位の検出を行うものと判別した場合、処理をステップＳ１４５に進め、月単位の検出を行うものと判別した場合、処理をステップＳ１４６に進める。また、制御部１２は、「年単位の検出」及び「月単位の検出」のいずれでもないと判別した場合、「ランダムの検出」を行うものとして処理をステップＳ１４４に進める。
【０３２８】
年単位の検出を行うものと判別することで処理をステップＳ１４５に進めると、制御部１２は、最古の日付から現在の日付までに対応する年のうち、ランダムに年を決定し、この決定した年における、カレンダービュー或いはデイビューのライフタイムカレンダー上で、現在、フォーカスが当たっている日付を基点とし、この基点に最も近い日付のコンテンツを検出する。
【０３２９】
なお、上記基点に最も近い日付のコンテンツとして、例えば上記基点から過去方向に３日分離れている日付のコンテンツと、上記基点から未来方向に３日分離れている日付のコンテンツとの両方が検出される場合等のように、上記基点を中心として、過去方向及び未来方向にそれぞれ同じ日数分離れた日付のコンテンツが検出された場合、制御部１２は、上記基点から過去方向に離れている日付のコンテンツを、上記基点に最も近い日付のコンテンツとして検出する。
【０３３０】
これに対して、月単位の検出を行うものと判別することで処理をステップＳ１４６に進めると、制御部１２は、現在の日付の１年前の日付から、現在の日付までに対応する月のうち、ランダムに月を決定し、この決定した月における、カレンダービュー或いはデイビューのライフタイムカレンダー上で、現在、フォーカスが当たっている日付を基点とし、この基点に最も近い日付のコンテンツを検出する。
【０３３１】
なお、この「月単位の検出」においても、上記基点を中心として、過去方向及び未来方向にそれぞれ同じ日数分離れた日付のコンテンツが検出された場合、制御部１２は、上記基点から過去方向に離れている日付のコンテンツを、上記基点に最も近い日付のコンテンツとして検出する。
【０３３２】
一方、制御部１２は、「ランダムの検出」を行うものとして処理をステップＳ１４４に進めると、カレンダービュー或いはデイビューのライフタイムカレンダー上で、現在、フォーカスが当たっている日付よりも過去の日付のコンテンツをランダムに検出して処理をステップＳ６６に進める。
【０３３３】
制御部１２は、ステップＳ６６において、上記ステップＳ１４５の「年単位の検出」で検出したコンテンツ、又は上記ステップＳ１４６の「月単位の検出」で検出したコンテンツ、或いは「ランダムの検出」で検出したコンテンツを想い出ポップアップ表示すると共に、メモリ１１の想い出リストに履歴の登録を行う。制御部１２は、ステップＳ６７でフォーカスの移動操作を検出するまでの間、この想い出ポップアップ表示を継続して行う。
【０３３４】
このように、「年単位の検出」、「月単位の検出」、及び「ランダムの検出」のうち、いずれかをランダム、或いは所定の確率に基づいて選択し、これにより検出されたコンテンツを想い出ポップアップ表示することで、ある程度の規則性及びランダム性を兼ね備えた想い出ポップアップ表示を行うことができる。
【０３３５】
［静止画像コンテンツと電話帳に登録されている個人情報のリンク処理］
次に、この実施の形態の携帯電話機は、カメラ部８で撮像した静止画像コンテンツ、或いはネットワークを介してダウンロードした静止画像コンテンツに写っている人物を特定し、電話帳に登録されているその人物の個人情報とリンク付けすることで、静止画像コンテンツから選択した人物に対して直接的な電話発信や電子メール送信を可能としている。
【０３３６】
図２５のフローチャートに、人物の特定から個人情報のリンク付けを行うまでの動作の流れを示す。このフローチャートは、制御部１２が、カメラ部８で撮像された静止画像コンテンツ、或いはネットワークを介してダウンロードされた静止画像コンテンツをメモリ１１に保存することで、メモリ１１にされている顔画像リンク処理プログラムに基づいてスタートさせる。
【０３３７】
まず、ステップＳ１１１では、制御部１２が、メモリ１１に保存した静止画像コンテンツに写っている顔画像部分を抽出して処理をステップＳ１１２に進める。具体的には、制御部１２は、静止画像コンテンツが集合写真のように複数の人物が写っている静止画像コンテンツの場合、これら各人物の顔画像部分を抽出する。また、静止画像コンテンツに一人のみ人物が写っている場合も、同様にこの人物の顔画像部分を抽出する。
【０３３８】
ステップＳ１１２では、制御部１２が、上記ステップＳ１１１で抽出した人物の顔画像と、メモリ１１の電話帳に登録されている各ユーザの画像とをそれぞれ比較する。そして、ステップＳ１１３において、メモリ１１の電話帳に登録されているユーザの中に、上記ステップＳ１１１で抽出した人物の顔画像と一致するユーザが存在するか否かを判別する。
【０３３９】
上記一致するユーザが存在しないものと判別した場合、制御部１２は、処理をステップＳ１１６に進め、上記一致するユーザの存在を検出した場合は、処理をステップＳ１１４に進める。
【０３４０】
ステップＳ１１４では、制御部１２が、電話帳に登録されている、上記一致したユーザのユーザ名、電話番号及び電子メールアドレス等の個人情報を取得して、処理をステップＳ１１５に進める。そして、ステップＳ１１５において、上記メモリ１１に保存した静止画像コンテンツと、電話帳に登録されているユーザの個人情報とをリンク付ける処理を行い、この図２５のフローチャートに示す全処理を終了する。
【０３４１】
具体的には、メモリ１１には、リンク情報テーブルが設けられており、制御部１２は、このリンク情報テーブルに対して、
１．静止画像コンテンツの識別番号、
２．静止画像コンテンツから抽出した各顔画像の識別番号、
３．各顔画像と電話帳に登録されているユーザをリンク付けするためのリンク情報
を登録する。
【０３４２】
上記リンク情報としては、制御部１２は、そのユーザの個人情報が登録されている電話帳内の物理アドレスや、電話帳内で連番となっている、そのユーザの登録番号等を上記リンク情報テーブルに登録する。
【０３４３】
これに対して、上記ステップＳ１１３において、上記一致するユーザが存在しないものと判別することで処理をステップＳ１１６に進めると、制御部１２は、上記リンク情報テーブルに対して、
１．静止画像コンテンツの識別番号、
２．静止画像コンテンツから抽出した各顔画像の識別番号、
３．電話帳に個人情報が存在しないことを示す非リンク情報
を登録して、この図２５のフローチャートに示す全処理を終了する。
【０３４４】
［自動発信動作］
次に、このように静止画像コンテンツに写っている各人物と、電話帳内の個人情報をリンク付け処理することで、静止画像コンテンツから選択されたユーザに対して、直接的に電話発信や電子メールの送信等を行うことが可能となる。図２６のフローチャートに、このような電話や電子メールの自動発信動作の流れを示す。このフローチャートは、リスト表示画面或いはサムネイル表示画面のデイビューのライフタイムカレンダー上で静止画像コンテンツの表示が指定された際に、制御部１２が、メモリ１１に記憶されている顔画像リンク処理プログラムに基づいてスタートさせる。
【０３４５】
ステップＳ１２１では、制御部１２が、静止画像コンテンツの表示を行うべく、メモリ１１に記憶されているカメラ制御プログラムのビューワ機能を起動して、処理をステップＳ１２２に進める。
【０３４６】
ステップＳ１２２では、制御部１２が、現在、表示しようとしている静止画像コンテンツの識別番号に基づいて上記リンク情報テーブルを参照することで、その静止画像コンテンツに写っている人物の中で、電話帳に個人情報が登録されていない人物が存在するか否かを判別する。
【０３４７】
すなわち、電話帳に個人情報が存在しない場合、上述のようにリンク情報テーブルには、そのユーザの顔画像の識別番号と共に、電話帳に個人情報が存在しないことを示す非リンク情報が登録される。このため、制御部１２は、表示しようとしている静止画像コンテンツに対応する非リンク情報の有無を、上記リンク情報テーブルから判別することで、その静止画像コンテンツに写っている人物の中で、電話帳に個人情報が登録されていない人物が存在するか否かを簡単に判別することができる。制御部１２は、このステップＳ１２２において、電話帳に個人情報が登録されていない人物の存在を検出しなかった場合は、処理をステップＳ１２３に進め、電話帳に個人情報が登録されていない人物の存在を検出した場合は、処理をステップＳ１２６に進める。
【０３４８】
次に、電話帳に個人情報が登録されていない人物の存在を検出しないことで処理をステップＳ１２３に進めると、制御部１２は、この静止画像コンテンツを表示部５に表示制御すると共に、この静止画像コンテンツに写っているいずれかの人物の例えば顔部分にフォーカスを当てて表示する。
【０３４９】
これに対して、電話帳に個人情報が登録されていない人物の存在を検出することで処理をステップＳ１２６に進めると、制御部１２は、この静止画像コンテンツを表示部５に表示制御すると共に、この静止画像コンテンツに写っている人物のうち、電話帳に個人情報が登録されていない人物（＝リンク情報テーブルに非リンク情報が登録されている人物）の、例えば顔部分をグレー画像で表示する。また、制御部１２は、この静止画像コンテンツに写っている人物のうち、電話帳に個人情報が登録されているいずれかの人物の例えば顔部分にフォーカスを当てて表示する。
【０３５０】
これにより、表示部５に表示された静止画像コンテンツを見たユーザに対して、電話帳に個人情報が登録されている人物、及び電話帳に個人情報が登録されていない人物を、一目で認識させることができる。
【０３５１】
次に、上記静止画像コンテンツ上のいずれかの人物に当てられたフォーカスは、十字キー２４を操作することで、各人物間に渡って移動操作可能となっている。制御部１２は、十字キー２４の操作を検出する毎に、静止画像コンテンツ上に表示された各人物の間で、順次、フォーカスを移動表示制御する。
【０３５２】
次に、制御部１２は、上記静止画像コンテンツ上のいずれかの人物にフォーカスを当てている状態で決定キー２５の押圧操作を検出すると、電話発信、或いは電子メールの作成をユーザに選択させるための選択画面を表示部５に表示する。ユーザは、この選択画面において、電話発信、或いは電子メールの作成を選択する。
【０３５３】
図２６のフローチャートのステップＳ１２４及びステップＳ１２７では、制御部１２が、上記選択画面において、電子メールの作成を選択したか、或いは電話発信を選択したかを判別しており、電子メールの作成が選択された場合は処理をステップＳ１２５に進め、電話発信が選択された場合は処理をステップＳ１２８に進める。
【０３５４】
電子メールの作成が選択されることで処理をステップＳ１２５に進めると、制御部１２は、リンク情報テーブルを参照することで、静止画像コンテンツ上でフォーカスを当てている人物のリンク情報を検出する。そして、このリンク情報に基づいて、電話帳に登録されているその人物の電子メールアドレスを読み出し、宛先の入力欄に、この読み出した電子メールアドレスを入力した電子メール作成画面を表示部５に表示する。
【０３５５】
これにより、ユーザは、電子メールの表題、及び電子メール本文を入力して送信操作を行うだけで、静止画像コンテンツ上から選択した人物に対して直接的に電子メールを送信することができる。
【０３５６】
また、電話発信が選択されることで処理をステップＳ１２８に進めると、制御部１２は、リンク情報テーブルを参照することで、静止画像コンテンツ上でフォーカスを当てている人物のリンク情報を検出する。そして、このリンク情報に基づいて、電話帳に登録されているその人物の電話番号に対して電話発信を行うように通信回路２を制御する。これにより、ユーザは、静止画像コンテンツ上から選択した人物に対して直接的に電話を掛けることができる。
【０３５７】
［グレー表示された人物の個人情報の取得動作］
次に、表示部５に表示された静止画像コンテンツ上において、電話帳に個人情報が登録されていない人物は、上述のようにグレー表示されるのであるが、このグレー表示された人物の個人情報を、他のユーザの携帯電話機から取得可能となっている。図２７のフローチャートに、このグレー表示された人物の個人情報の取得動作の流れを示す。
【０３５８】
このフローチャートは、制御部１２が、グレー表示している人物にフォーカスを当てている際に、決定キー２５の押圧操作を検出することで、メモリ１１に記憶されている顔画像リンク処理プログラムに基づいてスタートさせる。
【０３５９】
ステップＳ１３１では、制御部１２が、例えば「送信相手を選択してください」等のメッセージと共に電話帳を表示部５に表示し、ユーザに対して、グレー表示している人物の顔画像を送信する送信相手の選択を促す。
【０３６０】
ユーザは、グレー表示している人物の個人情報を所有していそうなユーザを電話帳から選択するのであるが、ステップＳ１３２では、制御部１２が、この送信相手となるユーザの選択操作がなされたか否かを判別し、当該選択操作がなされたタイミングで処理をステップＳ１３３に進める。
【０３６１】
ステップＳ１３３では、制御部１２が、電話帳から選択された上記送信相手となるユーザの電子メールアドレス、及び例えば「添付画像の人物の個人情報を教えてください」等のメッセージを入力すると共に、当該電子メールが個人情報の送信要求を行う電子メールであることを示す送信要求情報をヘッダに付した電子メールを自動作成し、上記グレー表示した人物の顔画像を添付して送信する。
【０３６２】
この電子メールを受信した携帯電話機の制御部１２は、上記ヘッダに付されている送信要求情報を検出すると、当該電子メールに添付されている顔画像と、当該携帯電話機の電話帳に登録されている各ユーザの画像とを比較する。そして、一致するユーザを検出した場合、そのユーザの電話番号や電子メールアドレス等の個人情報を添付した電子メールを作成して返信する。
【０３６３】
図２７のフローチャートのステップＳ１３４では、このような返信がなされたか否かを判別しており、返信を検出した場合、制御部１２は処理をステップＳ１３５に進め、返信された電子メールに添付されている個人情報を、電話帳内のそのユーザの個人情報の登録欄（＝グレー表示されている人物の個人情報の登録欄）に登録する。これにより、静止画像コンテンツに写っている人物の電話番号や電子メールアドレスがわからない場合でも、他のユーザの携帯電話機から取得することができ、その人物に対して電話を掛ける、或いは電子メールを送信する等の連絡を取ることができる。
【０３６４】
なお、このようにグレー表示されている人物の個人情報を取得できた場合、制御部１２は、上記グレー表示していた人物の顔画像、及び取得した個人情報を電話帳に登録すると共に、この個人情報と上記グレー表示していた人物の顔画像とをリンク付け処理する。これにより、制御部１２は、以後、静止画像コンテンツ上で、このグレー表示されていた人物を、電話帳に個人情報が登録されている人物として取り扱うこととなる（＝グレー表示は行わない。）。
【０３６５】
［実施の形態の効果］
以上の説明から明らかなように、この実施の形態の携帯電話機は、種類の異なる各コンテンツがそれぞれ有する時間情報に基づいて、同じ時間的範囲に属するコンテンツを検出する。そして、同じ時間的範囲に属するコンテンツに関する情報を、時系列に沿って表示する。換言すれば、日付という時間的範囲毎に区切られたライフタイムカレンダー上に、各日付の時間的範囲に属する時間情報を有するコンテンツの、例えばアイコン或いはサムネイル画像等のコンテンツに関する情報を表示する。
【０３６６】
これにより、種類の異なるコンテンツを、各日付毎に纏めてライフタイムカレンダー上に表示することができる。このため、ユーザは、例えば１ヶ月や１年等の、長期的な時間的範囲に属する種類の異なる各コンテンツを一括して確認することができ、種類の異なる複数のコンテンツの中から所望のコンテンツを、容易かつ迅速に検索することができる。
【０３６７】
また、種類の異なるコンテンツを、各日付毎に纏めてライフタイムカレンダー上に表示することができるため、例えば静止画像コンテンツのサムネイル画像や送受信した電子メールの電子メールコンテンツから当時の友人を思い出し、この友人に対して再度、電子メールを送信する等の、過去の事象から次の行動を起こす切っ掛けを作ることができる。
【０３６８】
また、各コンテンツが有する時間情報毎に自動的に振り分けてライフタイムカレンダー上に該コンテンツの表示を行うようになっている。このため、ユーザは、電子メールの送受信やカメラ部８を用いた撮像等の各コンテンツ毎の通常の機器操作を行っていればよく、ユーザに対して特別な操作や特別な意識を持つことを強いることなく、各コンテンツを自動的にライフタイムカレンダー上に表示することができる。
【０３６９】
また、ライフタイムカレンダー上には、種類の異なるコンテンツが各日付毎に纏めて表示されるため、このライフタイムカレンダーを過去の操作履歴や日記として利用可能とすることができる。
【０３７０】
また、デイビューのライフタイムカレンダーにおいて、送受信電子メールコンテンツや誕生日コンテンツを表示する場合、電話帳や個人情報の登録欄に対応するユーザの静止画像が登録されている場合には、この静止画像のサムネイル画像をデイビューのライフタイムカレンダー上に表示するようになっている。このため、電子メールの送信元や宛先となるユーザや、誕生日を迎えるユーザを容易に認識することができる。
【０３７１】
また、表示設定やフィルタ設定により、上記ライフタイムカレンダー上に表示するコンテンツに関する情報を予め設定しておくことで、該ライフタイムカレンダー上に所望のコンテンツに関する情報のみを表示することができる。このため、ユーザが希望する種類のコンテンツのみをライフタイムカレンダー上に表示させることができ、所望のコンテンツを、さらに容易かつ迅速に検索可能とすることができる。
【０３７２】
また、デイビューのライフタイムカレンダーの「リスト表示画面」では、コンテンツに対応する文字情報、アイコン、サムネイル画像を用いて該コンテンツの表示を行うことで、コンテンツの内容をユーザに認識させ易くすることができる。また、デイビューのライフタイムカレンダーの「サムネイル表示画面」では、コンテンツに対応するアイコンやサムネイル画像を主に用いた表示を行うことで、一度に多数のコンテンツをユーザに認識させることができる。
【０３７３】
また、デイビューのライフタイムカレンダーにおいては、コンテンツの存在しない日付の表示欄を詰めて表示するようになっている。換言すれば、コンテンツの存在する日付同士が隣接するように、該コンテンツの表示を行っている。これにより、デイビューのライフタイムカレンダー上により多くのコンテンツを表示することができる。
【０３７４】
また、カレンダービューのライフタイムカレンダー上の各日付の表示領域のうち、表示すべき静止画像コンテンツが複数存在する日付の表示領域に対しては、該複数存在する静止画像コンテンツの中からランダムに１枚の静止画像コンテンツを選出し、この選出した静止画像コンテンツを上記表示領域に表示する。そして、例えば３時間置き、６時間置き、１２時間置き等の所定の時間置きに、上記複数存在する静止画像コンテンツの中から、現在、表示しているサムネイル画像に対応する静止画像コンテンツ以外の静止画像コンテンツを選出し、この選出した静止画像コンテンツのサムネイル画像を上記日付の表示領域に表示する。これにより、カレンダービューのライフタイムカレンダーにおいて、表示すべき静止画像コンテンツが複数存在する日付の表示領域に表示するサムネイル画像を、所定時間毎に更新することができる。従って、ユーザが例えば上記所定時間置きにカレンダービューのライフタイムカレンダーを見た場合、該カレンダービューのライフタイムカレンダーを見る毎に新たなサムネイル画像を見ることができる。
【０３７５】
また、カレンダービューのライフタイムカレンダー上の各日付の表示領域のうち、表示すべき静止画像コンテンツが複数存在する日付の表示領域に対して、フォーカスが例えば３秒間以上等の所定時間以上連続して当てられていた場合、上記日付の表示領域に表示する静止画像コンテンツのサムネイル画像を、このフォーカスが当てられている間、新たな静止画像コンテンツのサムネイル画像に更新して表示する。これにより、フォーカスが当てられている日付に対応する静止画像コンテンツのサムネイル画像が順次表示されるため、ユーザは、所望の日付の表示領域にフォーカスを当てているだけで、その日付に対応する全ての静止画像コンテンツを認識することができる。
【０３７６】
また、年インデックス、月インデックス、日インデックスにフォーカスを移動操作することで、年単位、月単位、或いは日単位で表示するコンテンツの表示切り替えを行うことができる。このため、年単位、月単位、日単位で蓄積された大量のコンテンツの中から所望のコンテンツを、容易かつ迅速に検索可能とすることができる。
【０３７７】
また、カレンダービューのライフタイムカレンダーからデイビューのライフタイムカレンダーに移行する際に、カレンダービューのライフタイムカレンダー上でコンテンツが存在しない日付の表示領域が指定された場合、デイビューのライフタイムカレンダー上における上記指定された日付の表示領域に、新規のスケジュールの登録を指定するための新規スケジュール作成コンテンツを表示するようになっている。このため、ユーザは、コンテンツの存在しない日付を指定することで、容易に新たなスケジュール登録を行うことができる。
【０３７８】
〔想い出ポップアップ表示機能の効果〕
また、この実施の形態の携帯電話機の場合、カレンダービュー或いはデイビューのライフタイムカレンダー上で所定時間以上のフォーカスの停止状態が検出された場合、制御部１２が、年単位、月単位、ランダムの優先順位に従って、フォーカスが停止している日付の過去の日付に対応するコンテンツの検出を行い、カレンダービュー或いはデイビューのライフタイムカレンダーに重ねて表示する。
【０３７９】
カレンダービュー或いはデイビュー等のカレンダー形式の表示を行う場合、ユーザの意識が、現在の日付以降の日付（＝未来の日付）に傾きがちとなるのであるが、想い出ポップアップ表示機能により、１年前、或いは１ヶ月前等のコンテンツを表示することで、ユーザの意識を過去の日付にも向けることができる。このため、時間の経過により忘れていた過去の想い出（コンテンツ）を再認識することができ、また、見過ごしていた過去の日付のコンテンツを新たに認識可能とすることができる。
【０３８０】
また、フォーカスの停止状態を検出した際に想い出ポップアップ表示を行うため、ユーザの操作を妨げることなく当該想い出ポップアップ表示を行うことができる。また、フォーカスの停止状態を検出した際に自動的に（受動的に）想い出ポップアップ表示を行うため、この想い出ポップアップ表示のための、ユーザの特別な操作を不要とすることができる。
【０３８１】
また、一度に表示する数以上の数のコンテンツが存在する場合、想い出ポップアップ表示を行う毎に異なるコンテンツを表示するようになっているため、上述のコンテンツの再認識や新たなコンテンツを認識する確率をさらに高めることができる。
【０３８２】
また、想い出ポップアップ表示を行うコンテンツの優先順位は、
１．カメラ部８で撮像された静止画像コンテンツ、
２．保護設定されている受信電子メールコンテンツ或いは送信電子メールコンテンツ、
３．スケジュールコンテンツ、
４．ネットワークを介してダウンロードされた静止画像コンテンツ、
５．保護設定されていない受信電子メールコンテンツ或いは送信電子メールコンテンツ
の順となっている。このため、ユーザの想い出が想起される確率が高いコンテンツを優先的に想い出ポップアップ表示することができ、利用価値の高い情報表示を行うことができる。
【０３８３】
また、想い出ポップアップ表示されたコンテンツに関する情報は、履歴として想い出リストに登録される。そして、ユーザは、想い出リストに表示されたコンテンツの詳細を認識したい場合は、想い出リストから、認識したいコンテンツに対応する日付を選択操作する。これにより、想い出ポップアップ表示されたコンテンツの日付に対応するデイビューのライフタイムカレンダーが表示されるため、ユーザは、想い出ポップアップ表示されたコンテンツの詳細をデイビューのライフタイムカレンダー上で認識することができる。
【０３８４】
〔静止画像コンテンツと電話帳に登録されている個人情報のリンク処理の効果〕
また、この実施の形態の携帯電話機は、カメラ部８で撮像した静止画像コンテンツ、或いはネットワークを介してダウンロードした静止画像コンテンツに写っている人物を特定し、電話帳に登録されているその人物の個人情報とリンク付けする。これにより、静止画像コンテンツから選択した人物に対して直接的に電話発信や電子メール送信を行うことができる。
【０３８５】
また、上記静止画像コンテンツを表示する際に、電話帳に個人情報が登録されていない人物はグレー表示することで、表示部５に表示された静止画像コンテンツを見たユーザに対して、電話帳に個人情報が登録されている人物、及び電話帳に個人情報が登録されていない人物を、一目で認識させることができる。
【０３８６】
また、静止画像コンテンツ上の人物の中から、グレー表示されている人物が選択された場合、他のユーザの携帯電話機に対して、そのグレー表示されている人物の個人情報の送信要求を行う。これにより、静止画像コンテンツ上に、連絡先不明の人物（＝グレー表示されている人物）が存在していた場合でも、その連絡先不明の人物の個人情報を他のユーザの携帯電話機から取得することができ、該連絡先不明の人物に対して電話や電子メール等で連絡を取ることを可能とすることができる。
【０３８７】
［変形例］
上述の実施の形態の説明では、本発明を携帯電話機に適用することとしたが、この携帯電話機以外であっても、ＰＨＳ電話機（PHS：Personal Handyphone System）やＰＤＡ装置（PDA：Personal Digital Assistant）、或いはノート型、デスクトップ型のパーソナルコンピュータ装置や携帯ゲーム機等、種類の異なる複数のコンテンツを取り扱う機器であれば、どのような機器に適用しても上述と同じ効果を得ることができる。
【０３８８】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【０３８９】
【図１】本発明を適用した実施の形態となる携帯電話機のブロック図である。
【図２】実施の形態の携帯電話機の外観を示す図である。
【図３】実施の形態となる携帯電話機に設けられているライフタイムカレンダー機能で取り扱われる各種コンテンツを説明するための図である。
【図４】実施の形態の携帯電話機に設けられているライフタイムカレンダー機能の各種設定画面を示す図である。
【図５】実施の形態となる携帯電話機のライフタイムカレンダー機能におけるカレンダービューのライフタイムカレンダーの表示例を示す図である。
【図６】実施の形態となる携帯電話機におけるカレンダービューのライフタイムカレンダーの表示動作を示すフローチャートである。
【図７】カレンダービューのライフタイムカレンダーに表示される月インデックス及び年インデックスを示す図である。
【図８】待ち受け画像に設定されたカレンダービューのライフタイムカレンダーを示す図である。
【図９】実施の形態となる携帯電話機がカレンダービューのライフタイムカレンダーを表示している際に、所定時間置きにサムネイル画像を更新する更新動作を説明するためのフローチャートである。
【図１０】実施の形態となる携帯電話機がカレンダービューのライフタイムカレンダーを表示している際に、フォーカスが当てられ続けている日付のサムネイル画像を所定時間置きに更新する更新動作を説明するためのフローチャートである。
【図１１】実施の形態となる携帯電話機におけるデイビューのライフタイムカレンダーの表示から、選択されたコンテンツに対応するアプリケーションプログラムを起動するまでの流れを示すフローチャートである。
【図１２】デイビューのライフタイムカレンダーのリスト表示画面の表示例を示す図である。
【図１３】デイビューのライフタイムカレンダーのサムネイル表示画面の表示例を示す図である。
【図１４】カレンダービューのライフタイムカレンダー上でコンテンツの存在しない日付が指定された際に、デイビューのライフタイムカレンダー上に新規スケジュール作成コンテンツを表示する動作を示すフローチャートである。
【図１５】新規スケジュール作成コンテンツが表示されたデイビューのライフタイムカレンダーのリスト表示画面を示す図である。
【図１６】新規スケジュール作成コンテンツが表示されたデイビューのライフタイムカレンダーのサムネイル表示画面を示す図である。
【図１７】実施の形態の携帯電話機における想い出ポップアップ表示動作の流れを示すフローチャートである。
【図１８】カレンダービューのライフタイムカレンダー上に想い出ポップアップ表示されたコンテンツの表示例を示す図である。
【図１９】リスト表示画面のデイビューのライフタイムカレンダー上に想い出ポップアップ表示されたコンテンツの表示例を示す図である。
【図２０】サムネイル表示画面のデイビューのライフタイムカレンダー上に想い出ポップアップ表示されたコンテンツの表示例を示す図である。
【図２１】実施の形態の携帯電話機における想い出リストの表示動作の流れを示すフローチャートである。
【図２２】想い出リストの表示例を示す図である。
【図２３】実施の形態の携帯電話機における、過去のコンテンツ数に基づく想い出ポップアップ表示動作の流れを示すフローチャートである。
【図２４】実施の形態の携帯電話機における、過去の日付及び過去のコンテンツ数に基づく想い出ポップアップ表示動作の流れを示すフローチャートである。
【図２５】実施の形態の携帯電話機における、静止画像コンテンツに写っている人物と、電話帳に登録されているその人物の個人情報のリンク処理を説明するためのフローチャートである。
【図２６】実施の形態の携帯電話機における、静止画像コンテンツに写っている人物を選択して電話発信或いは電子メールの送信を行う動作を説明するためのフローチャートである。
【図２７】実施の形態の携帯電話機における、静止画像コンテンツにグレー表示された人物の個人情報の取得動作を説明するためのフローチャートである。
【図２８】実施の形態の携帯電話機における、「年単位の検出」、「月単位の検出」、及び「ランダムの検出」を、ランダム或いは所定の確率で選択してコンテンツの検出を行う想い出ポップアップ表示動作の流れを示すフローチャートである。
【符号の説明】
【０３９０】
１  アンテナ、２  通信回路、３  スピーカ部、４  マイクロホン部、５  表示部、６  操作部、７  発光部（ＬＥＤ）、８  カメラ部、８ａ  メインカメラ部、８ｂ  インカメラ部、９  バイブレーションユニット、１０  タイマ、１１  メモリ、１２  制御部、２１  携帯電話機の上筐体、２２  携帯電話機の下筐体、２３  携帯電話機のヒンジ部、２４  十字キー、２５  決定キー、２６  第１のソフトキー、２７  第２のソフトキー、２８  第３のソフトキー、２９  第４のソフトキー、３０  オフフックキー、３１  オンフックキー、３２  クリアキー、３３  １２キー
【図１】
2008005470.tif 000003
【図２】
2008005470.tif 000004
【図３】
2008005470.tif 000005
【図４】
2008005470.tif 000006
【図５】
2008005470.tif 000007
【図６】
2008005470.tif 000008
【図７】
2008005470.tif 000009
【図８】
2008005470.tif 000010
【図９】
2008005470.tif 000011
【図１０】
2008005470.tif 000012
【図１１】
2008005470.tif 000013
【図１２】
2008005470.tif 000014
【図１３】
2008005470.tif 000015
【図１４】
2008005470.tif 000016
【図１５】
2008005470.tif 000017
【図１６】
2008005470.tif 000018
【図１７】
2008005470.tif 000019
【図１８】
2008005470.tif 000020
【図１９】
2008005470.tif 000021
【図２０】
2008005470.tif 000022
【図２１】
2008005470.tif 000023
【図２２】
2008005470.tif 000024
【図２３】
2008005470.tif 000025
【図２４】
2008005470.tif 000026
【図２５】
2008005470.tif 000027
【図２６】
2008005470.tif 000028
【図２７】
2008005470.tif 000029
【図２８】
2008005470.tif 000030